(57)【要約】  表示装置は、ユーザ操作部から入力された放送チャンネル切換え指示に基づきチューナ部の受信中の放送チャンネルを切り換えると同時に、放送チャンネル切換え情報を記録再生装置に送る。記録再生装置は、このチャンネル切換え情報に基づいてチューナ部のチャンネルを表示装置と同じチャンネルに設定する。タイムシフト視聴の操作指示に基づき記録再生部でコンテンツを記録、再生するとともに、表示装置のスイッチ部をチューナ部から記録再生装置へ切り換えて記録再生装置からの再生出力を表示部に表示する。
2009084139.tif 000002
【特許請求の範囲】
【請求項１】
表示装置と、前記表示装置に接続された記録再生装置からなるタイムシフト視聴システムであって、
前記表示装置は、
放送波を受信してコンテンツを出力する第１のチューナ部と、
前記第１のチューナ部の受信コンテンツの放送チャンネル切換え操作指示ならびにタイムシフト視聴の操作指示を入力する操作入力部と、
前記記録再生装置からコンテンツを入力するコンテンツ入力部と、
コンテンツの入力経路を前記第１のチューナ部と前記コンテンツ入力部とに切り換える第1の入力切換部と、
前記第1の入力切換部から入力するコンテンツを表示する表示部と、
前記記録再生装置からコマンドを入力し、かつ前記記録再生装置にコマンドを出力する第１のコマンド入出力部と、
前記操作入力部から入力する前記放送チャンネル切換え指示に基づき前記第１のチューナ部の受信コンテンツの放送チャンネル切換え制御を行うのと同時に、切換え後の放送チャンネルの情報を含む選局コマンドを前記第１のコマンド入出力部から出力する制御と、前記タイムシフト視聴の操作指示に基づきタイムシフト視聴の開始を指示するタイムシフト視聴開始コマンドを前記第１のコマンド入出力部から出力する制御と、前記第１のコマンド入出力部から入力する映像出力開始コマンドにより前記入力切換部を切り換える制御とを行う第１の制御部と
を備え、
前記記録再生装置は、
放送波を受信してコンテンツを出力する第２のチューナ部と、
前記第２のチューナ部から入力するコンテンツを記録用データに変換し記録再生する記録再生部と、
前記記録再生部に記録されたコンテンツの記録用データを前記表示装置のコンテンツ入力部に出力するコンテンツ出力部と、
前記第１のコマンド入出力部からコマンドを入力し、かつ前記第１のコマンド入出力部にコマンドを出力する第２のコマンド入出力部と、
前記第２のコマンド入出力部から入力した前記選局コマンドに従って第２のチューナ部のチャンネル選局をする制御と、前記タイムシフト視聴開始コマンドに従って前記記録再生部にコンテンツの記録、再生し、前記コンテンツ出力部からコンテンツを出力する制御と、前記表示装置のコンテンツの入力経路を前記第１のチューナ部からコンテンツ入力部へ切り換える出力開始通知コマンドを前記第２のコマンド入出力部から出力する制御を行う第２の制御部と
を備えることを特徴とするタイムシフト視聴システム。
【請求項２】
前記第１の制御部は、前記タイムシフト視聴開始コマンドを出力するときに前記第１のチューナ部の受信中のコンテンツの放送チャンネルの情報を含む選局コマンドも前記第１のコマンド入出力部から出力する制御を行うことを特徴とする請求項１記載のタイムシフト視聴システム。
【請求項３】
前記第１の制御部は、前記タイムシフト視聴開始コマンドを出力するときに前記第１のチューナ部の受信中のコンテンツで視聴設定されている音声切換え情報も前記第１のコマンド入出力部から出力する制御を行うことを特徴とする請求項１記載のタイムシフト視聴システム。
【請求項４】
前記第１の制御部は、前記タイムシフト視聴開始コマンドを出力するときに前記第１のチューナ部の受信中のコンテンツで視聴設定されている字幕切換え情報も前記第１のコマンド入出力部から出力する制御を行うことを特徴とする請求項１記載のタイムシフト視聴システム。
【請求項５】
前記第２の制御部は、前記記録再生部により記録されたデータの再生一時停止中に前記第２のコマンド入出力部に前記タイムシフト視聴開始コマンドが入力される場合、静止を解除して再生を開始する制御を行うことを特徴とする請求項１記載のタイムシフト視聴システム。
【請求項６】
前記第２の制御部は、前記記録再生部により記録されたデータを再生中に前記第２のコマンド入出力部に前記タイムシフト視聴開始コマンドが入力される場合、再生一時停止を行なって静止画像を表示する制御を行うことを特徴とする請求項１記載のタイムシフト視聴システム。
【請求項７】
前記タイムシフト視聴を視聴中の場合、前記表示装置が前記操作入力部に入力される操作指示を前記記録再生装置に転送し、
前記記録再生装置は、前記操作指示に基づいて少なくとも静止画像の解除や早送り、巻き戻しのいずれか1つの操作を行うことを特徴とする請求項１記載のタイムシフト視聴システム。
【請求項８】
前記表示装置の入力経路が前記記録再生装置の信号出力端子に切り換わったとき、前記表示装置は前記表示部に前記記録再生装置の再生操作ガイドを表示することを特徴とする請求項７記載のタイムシフト視聴システム。
【請求項９】
前記表示装置の入力経路が他の外部機器の信号出力端子に切り換わったとき、
前記表示装置は、第１のチューナ部または前記他の外部機器の前記信号出力端子からの映像音声データの出力を検知し、前記記録再生装置に通知する前記出力開始通知コマンドを発行し、
前記記録再生装置は、前記出力開始通知コマンドに基づいて記録を中断することを特徴とする請求項１記載のタイムシフト視聴システム。
【請求項１０】
前記第２の制御部は、前記記録再生部が記録できないと判断したとき、前記第２のコマンド出力部から記録できないエラー要因を出力し、
前記第１の制御部は、前記第１のコマンド入出力部から入力した前記記録できない前記エラー要因を解析し、解析結果を画面表示する制御を行うことを特徴とする請求項１記載のタイムシフト視聴システム。
【請求項１１】
前記第２の制御部は、前記記録再生部が即時記録できないと判断したとき、前記第２のコマンド出力部から前記タイムシフト視聴開始コマンドの受理の通知を出力し、さらに記録が可能になったとき、前記第２のコマンド出力部から記録開始の結果を通知し、
前記第１の制御部は、
前記第１のコマンド入出力部から入力した前記タイムシフト視聴開始コマンドの受理の通知を解析し、解析結果を画面表示し、
さらに、タイムシフト視聴結果通知コマンドに基づく記録開始の結果の通知を解析し、解析結果を画面表示する
制御を行うことを特徴とする請求項１記載のタイムシフト視聴システム。
【請求項１２】
記録再生装置と接続されてタイムシフト視聴システムを構成する表示装置であって、
放送波を受信してコンテンツを出力する第1のチューナ部と、
前記第1のチューナ部の受信コンテンツの放送チャンネル切換え操作指示ならびにタイムシフト視聴の操作指示を入力する操作入力部と、
前記記録再生装置からコンテンツを入力するコンテンツ入力部と、
コンテンツの入力経路を前記第1のチューナ部と前記コンテンツ入力部とに切り換える第1の入力切換部と、
前記第1の入力切換部から入力するコンテンツを表示する表示部と、
前記記録再生装置からコマンドを入力し、かつ前記記録再生装置にコマンドを出力する第1のコマンド入出力部と、
前記操作入力部から入力する前記放送チャンネル切換え指示に基づき前記第1のチューナ部の受信コンテンツの放送チャンネル切換え制御を行うのと同時に、切換え後の放送チャンネルの情報を含む選局コマンドを前記第1のコマンド入出力部から前記記録再生装置へ出力する制御と、前記タイムシフト視聴の操作指示に基づきタイムシフト視聴の開始を指示するタイムシフト視聴開始コマンドを前記第1のコマンド入出力部から前記記録再生装置へ出力する制御と、前記第1のコマンド入出力部から入力する前記記録再生装置からの出力開始コマンドにより前記入力切換部を切り換える制御と、を行う第1の制御部と
を備えることを特徴とする表示装置。
【請求項１３】
前記第1の制御部は、前記タイムシフト視聴開始コマンドを出力するときに前記第1のチューナ部の受信中のコンテンツの放送チャンネルの情報を含む選局コマンドも前記第1のコマンド入出力部から出力する制御を行うことを特徴とする請求項１２記載の表示装置。
【請求項１４】
第１のチューナ部を有する表示装置と、第２のチューナ部を有し前記表示装置に接続された記録再生装置からなるタイムシフト視聴システムにおけるタイムシフト視聴方法であって、
前記表示装置は、
放送チャンネル切換え指示に基づき前記第１のチューナ部の受信コンテンツの放送チャンネル切換え制御を行うのと同時に、切換え後の放送チャンネルの情報を含む選局コマンドを前記記録再生装置へ送信するステップと、
前記選局コマンドを受信した前記記録再生装置は、
前記選局コマンドに基づいて前記第２のチューナ部のチャンネル選局をするステップと、
前記表示装置は、
タイムシフト視聴の操作指示に基づきタイムシフト視聴の開始を指示するタイムシフト視聴開始コマンドを前記記録再生装置へ送信するステップと、
前記タイムシフト視聴開始コマンドを受信した前記記録再生装置は、
コンテンツを記録、再生し、前記コンテンツを前記表示装置へ出力するとともに、出力開始通知コマンドを前記表示装置へ送信するステップと、
前記出力開始通知コマンドを受信した前記表示装置は、
コンテンツの入力経路を前記第１のチューナ部から前記記録再生装置へ切り換えるステップと
を備えたことを特徴とするタイムシフト視聴方法。
【請求項１５】
前記表示装置が前記タイムシフト視聴開始コマンドを前記記録再生装置へ送信するステップは、前記第１のチューナ部の受信中のコンテンツの放送チャンネルの情報を含む選局コマンドの送信も含むことを特徴とする請求項１４記載のタイムシフト視聴方法。
【発明の詳細な説明】
【技術分野】
【０００１】
本発明は、テレビ放送を受信中にタイムシフト視聴を行うタイムシフト視聴システム、表示装置およびタイムシフト視聴方法に関する。
【背景技術】
【０００２】
一般に、テレビ受像機は、テレビ放送を受信して視聴するだけでなく、ＤＶＲ（Ｄｉｇｉｔａｌ  Ｖｉｄｅｏ  Ｒｅｃｏｄｅｒ）やＤＶＤ（Ｄｉｇｉｔａｌ  Ｖｅｒｓａｔｉｌｅ  Ｄｉｓｃ）の記録再生装置などのビデオ機器を接続し、それらの装置で記録されたコンテンツや市販のコンテンツを再生したものの視聴を行う。そのため、テレビにはテレビ放送を受信するためのアンテナ端子に加えて、１個もしくは複数個の外部入力端子が備えられていることが多い。ユーザは、目的に応じて、これらの外部入力をリモートコントローラ（以下、「リモコン」と略記する）や本体上のボタンなどを用いて切り換えている。【０００３】
また、一般にビデオ機器にはチューナが搭載されており、テレビ放送の受信が可能な場合が多く、蓄積コンテンツの再生を行っていない場合は、受信したテレビ放送をテレビ受像機などの表示装置に出力するのが一般的である。そのため、テレビ受像機の外部入力端子における信号入力をビデオ機器などに切り換えても、テレビ放送を視聴することは可能である。【０００４】
そこで、テレビ受像機などの表示装置とビデオ機器などの記録再生装置の間でやりとりするコマンドを用いて、自動的にテレビ受像機における映像音声データの入力経路を切り換える装置や方法などについて規格化がなされている。この入力経路を切り替えることは、例えば、テレビ受像機が、内蔵されているチューナから出力された映像音声データを表示している状態から、外部入力端子に接続されている記録再生装置の出力する映像音声データに切り換えて表示することである。【０００５】
このような切り換えを行うために、例えば、表示装置や記録再生装置などが連携して動作するためのコマンドが規定されている（例えば、非特許文献１参照）。これによると、例えば記録再生装置が再生を開始したときに、記録再生装置は表示装置に出力開始通知コマンドを発行する。その結果、表示装置は、自動的に表示装置の外部入力端子における信号入力を記録再生装置に切り換える。そして、記録再生装置が再生したコンテンツを表示装置上で表示させることができる。【０００６】
また、ユーザからの操作により、表示装置で視聴したい記録再生装置が選択されたときに、表示装置からその記録再生装置に出力開始指示コマンドを送ると、その記録再生装置から表示装置に出力開始通知コマンドが発行される。このようなコマンドのやりとりによって、表示装置の外部入力端子における信号入力を記録再生装置に切り換え、記録再生装置が再生したコンテンツを表示装置上で表示させることができる。【０００７】
また、一般的に記録再生装置は記録媒体としてビデオテープやＤＶＤ−ＲＡＭの他にハードディスクドライブ（以下、「ＨＤＤ」と略記する）を内蔵した装置がある。ＨＤＤを内蔵した装置は、大容量でランダムアクセス性に優れ、記録と再生が同時に可能であるといったＨＤＤの特性を活かした、タイムシフト視聴機能を搭載したものが主流になっている。タイムシフト視聴とは、このような記録再生装置において、例えば、記録再生装置に内蔵されているチューナが受信したコンテンツを記録部（ＨＤＤ）に記録しながら、同時に記録中のコンテンツの再生を行う機能のことである。したがって、タイムシフト視聴により、コンテンツの見逃したシーンから視聴し直したり、留守番録画中の番組を追っかけ再生などしたりすることができる。【０００８】
また、記録再生に伴う受信信号の符号化や記録信号復号のための処理を行う間に、記録再生装置に内蔵されているチューナで受信中のライブ映像を出力して、見かけ上の操作レスポンスを向上させることで、大事なシーンを見逃すことがないよう、工夫がなされている（例えば、特許文献１参照）。【０００９】
しかし、従来の記録再生装置はタイムシフト視聴の開始を行おうとする場合、事前に接続する表示装置の外部入力端子における信号入力を記録再生装置に切り換え、かつ、記録再生装置に内蔵されているチューナの受信しているコンテンツを切り換えなければならないため、それまで見ていたコンテンツが一旦視聴できなくなったり、ＣＭなどのタイミングまで切換えを待ったりする必要がある。そのため、表示装置に内蔵されているチューナでコンテンツを視聴中の場合はすぐに切換え操作ができない。【００１０】
この場合、前述のコマンドのやりとりを使ったとしても、表示装置のリモコンだけでは記録再生装置に内蔵されているチューナのコンテンツをそれまで表示装置に内蔵されているチューナで視聴していたコンテンツと同じコンテンツに切り換える操作はできず、記録再生装置のリモコンに持ち替えて操作する必要がある。タイムシフト視聴の開始を行う際に、表示装置との間でコマンドをやりとりして記録再生装置に内蔵されているチューナのコンテンツをタイムシフト視聴に連動して切り換える方法も考えられる。しかし、チューナでの選局処理ならびに出力データをエンコードしてＨＤＤに記録可能なデータに変換するのにかかる処理時間を要するため、タイムシフト視聴の開始を行おうとした時点からすぐに記録を開始できずに頭切れが発生する。【００１１】
また、一般的に記録再生装置への入力切換え操作は表示装置のリモコンで行うことは可能であるが、その後のタイムシフト視聴実行操作や特殊再生操作は記録再生装置のリモコンに持ち替えて操作する必要がある。【００１２】
しかしながら、特許文献１に示された従来の方法では、タイムシフト視聴に際して、放送信号の選局による信号切換え毎に必要となる信号切換え時間および記録再生処理のための処理時間を見かけ上省略することは可能であるが、タイムシフト視聴をするコンテンツを記録するタイミングにはなんら注意が払われていない。従って、記録再生装置に記録されたコンテンツの先頭映像は、ユーザがタイムシフト視聴を行おうとしてタイムシフト視聴開始ボタンを押したタイミングよりも信号切換え時間および記録処理時間に相当する時間だけ遅れる。その結果、その遅れ時間に相当する期間のコンテンツの映像音声データはＨＤＤなどに記録されないことになる。大事な場面の映像や音声をちょうどそのタイミングに受信した場合には、その大事な場面の映像や音声が記録されないなどの課題があった。また、従来の方法ではタイムシフト視聴を行う際には、表示装置のリモコンと記録再生装置のリモコンとを頻繁に持ち替えて操作する必要があり、操作性とレスポンスに課題があった。
【非特許文献１】ＨＤＭＩ−ＣＥＣ（Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．３ａ  −  Ｃｏｎｓｕｍｅｒ  Ｅｌｅｃｔｒｏｎｉｃｓ  Ｃｏｎｔｒｏｌ）規格
【特許文献１】特開２００４−１８６９９７号公報
【発明の開示】
【００１３】
本発明のタイムシフト視聴システムは、表示装置と、表示装置に接続された記録再生装置からなるタイムシフト視聴システムであって、表示装置は、放送波を受信してコンテンツを出力する第１のチューナ部と、第１のチューナ部の受信コンテンツの放送チャンネル切換え操作指示ならびにタイムシフト視聴の操作指示を入力する操作入力部と、記録再生装置からコンテンツを入力するコンテンツ入力部と、コンテンツの入力経路を第１のチューナ部とコンテンツ入力部とに切り換える第１の入力切換部と、第１の入力切換部から入力するコンテンツを表示する表示部と、記録再生装置からコマンドを入力し、かつ前記記録再生装置にコマンドを出力する第１のコマンド入出力部とを備える。また、表示装置は、操作入力部から入力する放送チャンネル切換え指示に基づき第１のチューナ部の受信コンテンツの放送チャンネル切換え制御を行うのと同時に、切換え後の放送チャンネルの情報を含む選局コマンドを第１のコマンド入出力部から出力する制御と、タイムシフト視聴の操作指示に基づきタイムシフト視聴の開始を指示するタイムシフト視聴開始コマンドを第１のコマンド入出力部から出力する制御と、第１のコマンド入出力部から入力する出力開始コマンドにより入力切換部を切り換える制御とを行う第１の制御部とを備える。
【００１４】
また、記録再生装置は、放送波を受信してコンテンツを出力する第２のチューナ部と、第２のチューナ部から入力するコンテンツを記録用データに変換し記録再生する記録再生部と、記録再生部に記録されたコンテンツの記録用データを表示装置のコンテンツ入力部に出力するコンテンツ出力部と、第１のコマンド入出力部からコマンドを入力し、かつ第１のコマンド入出力部にコマンドを出力する第２のコマンド入出力部とを備える。また、記録再生装置は、第２のコマンド入出力部から入力した選局コマンドに従って第２のチューナ部のチャンネル選局をする制御と、タイムシフト視聴開始コマンドに従って記録再生部にコンテンツの記録、再生し、コンテンツ出力部からコンテンツを出力する制御と、表示装置のコンテンツの入力経路を第１のチューナ部からコンテンツ入力部へ切り換える映像出力開始コマンドを第２のコマンド入出力部から出力する制御を行う第２の制御部とを備えることを特徴とする。
【００１５】
この構成により、表示装置に内蔵されているチューナ部のコンテンツが切り換わると、記録再生装置に内蔵されているチューナ部のコンテンツを表示装置に内蔵されているチューナ部で切換えられて視聴が開始されたコンテンツと同じコンテンツに切り換えて、タイムシフト視聴の開始の操作を行う際の記録コンテンツ切換え操作を省略する。それと同時に記録再生装置の選局に伴う受信信号の符号化や記録信号復号のための処理を省略し、タイムシフト視聴コンテンツを頭切れなく記録できるとともに操作レスポンスを向上させることができる。
【００１６】
本発明の表示装置は、記録再生装置と接続されてタイムシフト視聴システムを構成する表示装置であって、放送波を受信してコンテンツを出力する第1のチューナ部と、第1のチューナ部の受信コンテンツの放送チャンネル切換え操作指示ならびにタイムシフト視聴の操作指示を入力する操作入力部と、記録再生装置からコンテンツを入力するコンテンツ入力部と、コンテンツの入力経路を第1のチューナ部とコンテンツ入力部とに切り換える第1の入力切換部と、第1の入力切換部から入力するコンテンツを表示する表示部と、記録再生装置からコマンドを入力し、かつ前記記録再生装置にコマンドを出力する第1のコマンド入出力部と、操作入力部から入力する放送チャンネル切換え指示に基づき第1のチューナ部の受信コンテンツの放送チャンネル切換え制御を行うのと同時に、切換え後の放送チャンネルの情報を含む選局コマンドを第1のコマンド入出力部から記録再生装置へ出力する制御と、タイムシフト視聴の操作指示に基づきタイムシフト視聴の開始を指示するタイムシフト視聴開始コマンドを第1のコマンド入出力部から記録再生装置へ出力する制御と、第1のコマンド出入力部から入力する記録再生装置からの出力開始コマンドにより入力切換部を切り換える制御を行う第1の制御部と、を備えることを特徴とする。
【００１７】
本発明のタイムシフト視聴方法は、第１のチューナ部を有する表示装置と、第２のチューナ部を有し表示装置に接続された記録再生装置からなるタイムシフト視聴システムにおけるタイムシフト視聴方法であって、表示装置は、放送チャンネル切換え指示に基づき第１チューナ部の受信コンテンツの放送チャンネル切換え制御を行うのと同時に、切換え後の放送チャンネルの情報を含む選局コマンドを記録再生装置へ送信するステップと、選局コマンドを受信した記録再生装置は、選局コマンドに基づいて第２のチューナ部のチャンネル選局をするステップと、表示装置は、タイムシフト視聴の操作指示に基づきタイムシフト視聴の開始を指示するタイムシフト視聴開始コマンドを記録再生装置へ送信するステップと、タイムシフト視聴開始コマンドを受信した記録再生装置は、コンテンツを記録、再生し、コンテンツを表示装置へ出力するとともに、出力開始通知コマンドを表示装置へ送信するステップと、出力開始通知コマンドを受信した表示装置は、コンテンツの入力経路を第１のチューナ部から記録再生装置へ切り換えるステップとを備えることを特徴とする。
【図面の簡単な説明】
【００１８】
【図１】図１は、本発明の実施の形態におけるタイムシフト視聴システムの概要を示すブロック図である。
【図２Ａ】図２Ａは、本発明の実施の形態におけるタイムシフト視聴システムの記録再生装置が番組ポーズ中に表示装置の画面上に表示する再生操作パネルを示す図である。
【図２Ｂ】図２Ｂは、本発明の実施の形態におけるタイムシフト視聴システムのタイムシフト再生中に記録再生装置が表示装置の画面上に表示する再生操作パネルを示す図である。
【図２Ｃ】図２Ｃは、本発明の実施の形態におけるタイムシフト視聴システムの再生操作パネルに対応した表示装置のリモコンの例（部分）を示す図である。
【図３】図３は、本発明の実施の形態における表示装置において、タイムシフト視聴を実行またはリモコンの中央ボタンを押下したときの表示部に表示される画面の遷移例を示す図である。
【図４】図４は、本発明の実施の形態における表示装置において、表示装置に内蔵されているチューナ部で放送を視聴中に、現在受信中のチャンネルとは別のチャンネルを選択したときの画面の遷移例を示す図である。
【図５】図５は、本発明の実施の形態における表示装置において、表示装置に内蔵されているチューナ部で放送を視聴中に、記録再生装置が現在受信中のチャンネルとは別のチャンネルを選択したとき、ならびに、ライブ放送受信中にタイムシフト視聴操作を実行したときの、表示装置と記録再生装置の動作の通信シーケンスを表すフロー図である。
【図６】図６は、本発明の実施の形態における表示装置において、番組ポーズ中にタイムシフト視聴操作を実行したときおよびタイムシフト再生中にリモコンの中央ボタンを操作したときの表示装置と記録再生装置の動作の通信シーケンスを表すフロー図である。
【図７】図７は、本発明の実施の形態における表示装置において、タイムシフト視聴実行時の記録再生装置からの通信で得られるエラー要因を表示部に表示するテキストメッセージを表す図である。
【図８】図８は、本発明の実施の形態におけるタイムシフト視聴システムで使用される選局コマンドのＣＥＣコマンドフォーマット例を示す図である。
【図９】図９は、本発明の実施の形態におけるタイムシフト視聴システムで使用されるタイムシフト視聴開始コマンドのＣＥＣコマンドフォーマット例を示す図である。
【図１０】図１０は、本発明の実施の形態におけるタイムシフト視聴システムで使用されるタイムシフト視聴結果通知コマンドのＣＥＣコマンドフォーマット例を示す図である。
【符号の説明】
【００１９】
１５    タイムシフト視聴システム
１００    表示装置
１１１    ユーザ操作部（操作入力部）
２１１    ユーザ操作部
１１２    制御部（第１の制御部）
２１２    制御部（第２の制御部）
１１３    コマンド入出力Ｉ／Ｆ（第１のコマンド入出力部）
２１３    コマンド入出力Ｉ／Ｆ（第２のコマンド入出力部）
１２１，２２１    アンテナ
１２２    チューナ部（第１のチューナ部）
２２２    チューナ部（第２のチューナ部）
１２３    スイッチ部（第１の入力切換部）
２２３    スイッチ部（第２の入力切換部）
１２４，２２４    データ処理部
１２５    データ入力Ｉ／Ｆ（コンテンツ入力部）
１２６，２２６    ＯＳＤ表示部
１４１    表示部
１４２    スピーカ部
２００    記録再生装置
２２５    データ出力Ｉ／Ｆ
２３１    エンコーダ部（コンテンツ出力部）
２３２    記録再生部
２３３    記録部（ＨＤＤ）
２３４    デコーダ部
２５１    コマンド用接続線
２５２    データ用接続線
３０１    再生ボタン（ＰＬＡＹボタン）
３０２，３１２    スキップボタン
３０３，３１３    停止ボタン
３０４，３１４    巻き戻しボタン
３０５，３１５    早送りボタン
３０６，３１６    ＥＸＩＴボタン
３１１    ポーズボタン（ＰＡＵＳＥボタン）
３３０    リモコン
３３１    上ボタン
３３２    下ボタン
３３３    左ボタン
３３４    右ボタン
３３５    中央ボタン
３３６    ＥＸＩＴボタン
３３７    ＴＩＭＥ  ＳＨＩＦＴボタン
【発明を実施するための最良の形態】
【００２０】
以下、本発明の実施の形態について図面を参照しながら詳細に説明する。【００２１】
（実施の形態）
図１は、本発明の実施の形態におけるタイムシフト視聴システム１５の構成の概要を示すブロック図である。図１において、タイムシフト視聴システム１５は、表示装置１００、記録再生装置２００を備え、表示装置１００と記録再生装置２００は、コマンド用接続線２５１、データ用接続線２５２で接続されている。コマンド用接続線２５１、データ用接続線２５２はＨＤＭＩケーブルの中に配置されている。【００２２】
表示装置１００は、放送波を受信するアンテナ１２１と、アンテナ１２１から出力される放送波を受信してコンテンツを出力する第１のチューナ部であるチューナ部１２２と、チューナ部１２２の受信コンテンツの放送チャンネル切換え操作指示ならびにタイムシフト視聴の操作指示を入力する操作入力部であるユーザ操作部１１１と、記録再生装置２００からコンテンツを入力するコンテンツ入力部であるとデータ入力Ｉ／Ｆ（Ｉｎｔｅｒｆａｃｅ）１２５と、コンテンツの入力経路をチューナ部１２２とデータ入力Ｉ／Ｆ１２５とに切り換える第１の入力切換部であるスイッチ部（以下、「ＳＷ」とも記す）１２３と、スイッチ部１２３から入力するコンテンツを表示する表示部１４１と、記録再生装置２００からコマンドを入力し、かつ記録再生装置２００にコマンドを出力する第１のコマンド入出力部であるコマンド入出力Ｉ／Ｆ１１３と、データ処理部１２４、ＯＳＤ表示部１２６と、スピーカ部１４２とを備える。さらに、表示装置１００は、ユーザ操作部１１１から入力する放送チャンネル切換え指示に基づき第１のチューナ部の受信コンテンツの放送チャンネル切換え制御を行うのと同時に、切換え後の放送チャンネルの情報を含む選局コマンドを第１のコマンド入出力部から出力する制御と、タイムシフト視聴の操作指示に基づきタイムシフト視聴の開始を指示するタイムシフト視聴開始コマンドを第１のコマンド入出力部から出力する制御と、第１のコマンド入出力部から入力する映像出力開始コマンドにより入力切換部を切り換える制御とを行う第１の制御部である制御部１１２を備える。【００２３】
記録再生装置２００は、放送波を受信するアンテナ２２１と、アンテナ２２１から出力される放送波を受信してコンテンツを出力する第２のチューナ部であるチューナ部２２２と、チューナ部１２２から入力するコンテンツを記録用データに変換し記録再生する記録再生部２３２と、記録再生部２３２に記録されたコンテンツの記録用データを表示装置１００のコンテンツ入力部であるとデータ入力Ｉ／Ｆ１２５に出力するコンテンツ出力部であるデータ出力Ｉ／Ｆ２２５と、第１のコマンド入出力部であるコマンド入出力Ｉ／Ｆ１１３からコマンドを入力し、かつコマンド入出力Ｉ／Ｆ１１３にコマンドを出力する第２のコマンド入出力部であるコマンド入出力Ｉ／Ｆ２１３と、ユーザ操作部２１１と、第２の入力切換部であるスイッチ部２２３と、データ処理部２２４と、ＯＳＤ表示部２２６と、エンコーダ部２３１と、記録部（ＨＤＤ）２３３と、デコーダ部２３４とを備える。【００２４】
さらに、コマンド入出力Ｉ／Ｆ２１３から入力した選局コマンドに従ってチューナ部２２２のチャンネル選局をする制御と、タイムシフト視聴開始コマンドに従って記録再生部２３２にコンテンツの記録、再生し、データ出力Ｉ／Ｆ２２５からコンテンツを出力する制御と、表示装置１００のコンテンツの入力経路をチューナ部１２２からデータ入力Ｉ／Ｆ１２５へ切り換える出力開始通知コマンドをコマンド入出力Ｉ／Ｆ２１３から出力する制御を行う第２の制御部である制御部２１２を備える。【００２５】
例えばテレビ受像機などである表示装置１００と記録再生装置２００はＨＤＭＩケーブルで接続されている。データ入力Ｉ／Ｆ１２５とデータ出力Ｉ／Ｆ２２５はＨＤＭＩ規格のＡ／Ｖ伝送Ｉ／Ｆであり、映像および音声データがＨＤＭＩ規格に準拠した形式で記録再生装置２００から表示装置１００へ伝送される。コマンド入出力Ｉ／Ｆ１１３、２１３はＨＤＭＩ規格のＣＥＣ（Ｃｏｎｓｕｍｅｒ  Ｅｌｅｃｔｒｏｎｉｃｓ  Ｃｏｎｔｒｏｌ）制御Ｉ／Ｆであり、ＨＤＭＩ規格に準拠した機器を操作するための制御コマンドの通信が行われる。なお、ＨＤＭＩ規格には、標準コマンド以外にベンダーが自由に定義できるＣＥＣのベンダーユニークコマンドもサポートされており、ベンダーはこのベンダーユニークコマンドを用いて特徴のある機能を自社製品に実装することができる。【００２６】
次に図１を参照しながら、本発明の実施の形態におけるタイムシフト視聴システム１５を構成する表示装置１００と記録再生装置２００の動作を詳細に説明する。まず、記録再生装置２００の動作について説明する。【００２７】
記録再生装置２００のデータ処理部２２４は、本実施の形態では、例えばＡ／ＶプロセッサおよびＨＤＭＩのトランスミッター回路から構成されている。記録部２３３は、ＨＤＤであり記録と再生が同時に可能である。また、この記録部２３３にはＤＶＤ−ＲＡＭやＢＤ−ＲＥ（Ｂｌｕ−ｒａｙ  Ｄｉｓｃ  Ｒｅｗｒｉｔａｂｌｅ）、半導体メモリなどのリムーバブルメディアを組み合わせて搭載してもよい。エンコーダ部２３１は、チューナ部２２２から入力されるデジタル映像・音声ストリームを記録部２３３にて記録可能なデータフォーマット、例えばＤＶＤ−Ｖｉｄｅｏ規格のフォーマットやＭＰＥＧ４−ＡＶＣ規格のフォーマットへの変換処理を行う。記録再生部２３２は、エンコーダ部２３１から入力された映像音声データを記録部２３３へ記録するための記録処理および記録部２３３から再生された映像音声データをデコーダ部２３４へ出力するための再生処理を行う。【００２８】
デコーダ部２３４は、記録再生部２３２経由で記録部２３３から読み出した任意の記録済みコンテンツを任意の開始位置からデコードして再生し、デジタル映像・音声ストリームとして出力する。ＯＳＤ表示部２２６は、表示装置１００からのタイムシフト視聴開始コマンドを受けた場合の静止画像再生開始時に、タイムシフト視聴用再生操作パネルを作成する。データ処理部２２４にてデコーダ部２３４がデコードした再生コンテンツと同一画面上に重畳して合成表示が可能である。【００２９】
制御部２１２は、タイムシフト視聴の静止画像再生開始時に、ＨＤＭＩ規格で定義された出力開始通知コマンドに加えてメニュー操作可能通知コマンドをコマンド入出力Ｉ／Ｆ２１３を経由して表示装置１００に送信する。これ以降、表示装置１００のリモコン操作を受信して、再生操作パネルの制御を行う。再生操作パネルは、表示装置１００のリモコンに対応した操作ボタンを画面上に表示し、それぞれのボタンにＨＤＭＩ規格で定義されたユーザ操作押下コマンドに該当するキーコードおよび制御部２１２で行う再生操作内容を割り当てる。例えば、リモコンの左、右、上、下、中央、戻るボタンはそれぞれ、レフト（ＬＥＦＴ）コマンド、ライト（ＲＩＧＨＴ）コマンド、アップ（ＵＰ）コマンド、ダウン（ＤＯＷＮ）コマンド、エンター（ＥＮＴＥＲ）コマンド、イグジット（ＥＸＩＴ）コマンドのユーザ操作押下ＣＥＣコマンドならびに、巻き戻し、早送り、スキップ、停止、ポーズ／再生、再生操作パネル消去の再生操作に該当する。この再生操作パネルについては後ほど図２を用いて詳しく説明する。【００３０】
チューナ部２２２は、記録再生装置２００が記録する放送番組を選択するための選局機能を有している。そして、表示装置１００は、ＣＥＣのベンダーユニークコマンドで定義された選局コマンドを用いて、コマンド入出力Ｉ／Ｆ２１３を経由してチューナ部２２２を遠隔制御することが可能である。すなわち、記録再生装置２００のチューナ部２２２が選択される度、表示装置１００の制御部１１２は選局コマンドを記録再生装置２００に対して送信する。選局コマンドに含まれる情報は、一般的なチャンネル番号の他に、たとえば、地上、ケーブル、衛星などの伝送経路の種別、伝送周波数、またデジタル放送であれば、例えば物理チャンネル番号、トランスポートストリームＩＤ、サービスＩＤ、オリジナルネットワークＩＤなどの伝送データ、及びアナログ放送であれば、例えばＮＴＳＣ、ＰＡＬ、ＳＥＣＡＭなどの放送方式などである。【００３１】
上記したように、第１の制御部は、タイムシフト視聴開始コマンドを出力するときに第１のチューナ部の受信中のコンテンツの放送チャンネルの情報を含む選局コマンドも第１のコマンド入出力部から出力する制御を行ってもよい。【００３２】
記録再生装置２００は、記録待機状態つまり、電源がスタンバイ状態であってもユーザの操作があればすぐに記録開始が可能な状態である場合、コマンド入出力Ｉ／Ｆ２１３を経由して表示装置１００から受信した選局コマンドを受信する。そして、記録再生装置２００は、内蔵されているチューナ部２２２の選局制御を行うと同時に、エンコーダ部２３１でチューナ部２２２からのコンテンツを記録部２３３に記録する記録用データフォーマットへの変換処理を行う。【００３３】
次に、表示装置１００の動作について説明する。データ処理部１２４は、本実施の形態では、例えばＨＤＭＩのレシーバ回路で構成されている。ＯＳＤ表示部１２６は、タイムシフト視聴開始操作用ＧＵＩ（Ｇｒａｐｈｉｃａｌ  Ｕｓｅｒ  Ｉｎｔｅｒｆａｃｅ）を表示する。画像プロセッサにて記録再生装置２００の再生コンテンツと同一画面上に重畳して合成表示が可能である。ユーザ操作部１１１は、前面パネルもしくは赤外線リモコンである。ユーザ操作部１１１から入力切換えやＧＵＩ操作が可能である。ユーザが赤外線リモコンのタイムシフト視聴開始ボタンを押すとタイムシフト視聴開始操作用ＧＵＩと同様の操作が可能である。制御部１１２は、各部の制御を行う。特には、表示装置１００に内蔵されているチューナ部１２２の選局制御、Ａ／Ｖデータの入出力経路をスイッチ部１２３で切り換える入出力切換え制御、コマンド入出力Ｉ／Ｆ１１３を経由するＣＥＣコマンドの送受信制御を行う。【００３４】
チューナ部１２２は、地上デジタル放送を受信可能で、チューナ部２２２と同一の放送規格に準拠しており、同一の放送チャンネルを選局可能である。デジタル放送波を受信中の場合、出力映像音声信号は図示しないデコーダ部を経由してＭＰＥＧ２規格のエレメンタリーストリームからＹＵＶ４２２の色空間で符号化されたデジタル映像ストリームおよびＰＣＭやＡＡＣにより符号化されたデジタル音声ストリームに変換される。アナログ放送波を受信中の場合、出力映像音声信号は図示しないＡ／Ｄ変換部を経由してデジタル映像ストリームおよびデジタル音声ストリームに変換される。【００３５】
表示装置１００は、ＨＤＭＩ規格で定義されたメニュー操作可能通知コマンドをコマンド入出力Ｉ／Ｆ１１３を経由して記録再生装置２００から受信すると、表示装置１００のリモコンなどでユーザ操作部１１１に対してユーザから行われた入力をＨＤＭＩ規格で定義されたユーザ操作押下コマンドのキーコードに割り当てて記録再生装置２００に送信する。その結果、表示装置１００は、記録再生装置２００に対する遠隔操作が可能となる。【００３６】
図２Ａ、２Ｂ、２Ｃは本発明の実施の形態におけるタイムシフト視聴システム１５の操作パネルおよびリモコンの操作ボタンを表す図である。そして、図２Ａは記録再生装置２００が番組ポーズ中に表示装置１００の画面上に表示する再生操作パネルを示す図である。図２Ｂは記録再生装置２００がタイムシフト再生中に表示装置１００の画面上に表示する再生操作パネルを示す図である。図２Ｃは再生操作パネルに対応した表示装置１００のリモコンの例（部分）を示す図である。【００３７】
図２Ａに示すように、番組ポーズ中の再生操作パネルは、再生ボタン３０１、スキップボタン３０２、停止ボタン３０３、巻き戻しボタン３０４、早送りボタン３０５、ＥＸＩＴボタン３０６を備えている。また、図２Ｂに示すように、再生中の再生操作パネルは、ポーズボタン３１１、スキップボタン３１２、停止ボタン３１３、巻き戻しボタン３１４、早送りボタン３１５、ＥＸＩＴボタン３１６を備えている。そして、図２Ｃに示すように、表示装置１００のリモコン３３０は、左ボタン３３３、右ボタン３３４、上ボタン３３１、下ボタン３３２、中央ボタン３３５、ＥＸＩＴボタン３３６、タイムシフト視聴用のタイムシフト（ＴＩＭＥ  ＳＨＩＦＴ）ボタン３３７を備えている。左ボタン３３３からＥＸＩＴボタン３３６までの６個のボタンにはＨＤＭＩ規格で定義されたユーザ操作押下コマンドに該当するキーコードおよび制御部２１２で行う再生操作内容が割り当てられる。すなわち、左ボタン３３３からＥＸＩＴボタン３３６までの６個のボタンにはそれぞれＬＥＦＴコマンド、ＲＩＧＨＴコマンド、ＵＰコマンド、ＤＯＷＮコマンド、ＥＮＴＥＲコマンド、ＥＸＩＴコマンドのユーザ操作押下ＣＥＣコマンドに割り付けられ、番組ポーズ時および再生操作時には、それぞれのボタンが、巻き戻し、早送り、スキップ、停止、ポーズ／再生、再生操作パネル消去の再生操作に該当する。【００３８】
図３は本発明の実施の形態における表示装置１００において、タイムシフト視聴を実行またはリモコン３３０の中央ボタン３３５を押下したときの表示部１４１に表示される画面の遷移例を示す図である。図４は本発明の実施の形態における表示装置１００において、表示装置１００に内蔵されているチューナ部１２２で放送を視聴中に、現在受信中のチャンネルとは別のチャンネルを選択したときの画面の遷移例を示す図である。なお、以下の説明においてタイムシフト視聴は図２Ｃに示すＴＩＭＥ  ＳＨＩＦＴボタン３３７を押下することによって実行される。【００３９】
図３は、表示装置１００の表示部１４１に表示される画面の遷移例を示している。図３において、横軸は時間を示している。そして例えば、ライブ放送受信中にタイムシフト視聴操作を実行したとき、番組ポーズ中にタイムシフト視聴操作を実行したとき、番組ポーズ中にリモコン３３０の中央ボタン３３５を押下したとき、タイムシフト再生中にリモコン３３０の上ボタン３３１、下ボタン３３２、左ボタン３３３、右ボタン３３４などを押下したとき、タイムシフト再生中にタイムシフト視聴操作を実行したとき、タイムシフト再生中にリモコン３３０の中央ボタン３３５を操作したときのそれぞれの場合の画面を示している。【００４０】
図３を参照しながら本発明の実施の形態におけるタイムシフト視聴システム１５において、ユーザの操作、記録再生装置２００および表示装置１００の動作、その場合の表示装置１００の表示画面の関係について説明する。表示装置１００に内蔵されたチューナ部１２２でテレビ放送を受信中（ライブ）に、例えば訪問客などがあり、時刻Ｔ０でユーザがタイムシフト視聴を実行すると、記録再生装置２００は記録を開始する。その後、時刻Ｔ１において表示装置１００の制御部１１２はスイッチ部１２３を制御して入力をチューナ部１２２からデータ入力Ｉ／Ｆ１２５に切り換えることにより、記録再生装置２００からの出力映像を表示装置１００の表示部１４１に表示する。それとほぼ同時に、記録再生装置２００は記録部２３３に記録した映像コンテンツの再生映像をポーズ状態で停止し、表示装置１００の表示部１４１にはそのポーズ画像が表示される。このように番組ポーズ中とは、映像コンテンツの再生映像がポーズ状態で停止され、表示部１４１にはそのポーズ画像が表示される機能が実施されている状態である。その後、訪問客などが帰って、時刻Ｔ２でユーザが再度タイムシフト視聴を実行すると、記録再生装置２００は記録部２３３に記録した映像コンテンツの再生を開始するとともに、表示部１４１に図２Ｂの再生操作パネルを再生映像に合成して表示する。【００４１】
上記したように、記録再生装置２００の制御部２１２は、記録再生部２３２により記録されたデータの再生一時停止中に、第２のコマンド入出力部にタイムシフト視聴開始コマンドが入力される場合、静止を解除して再生を開始する制御を行う。そして、ユーザは再生操作パネルの各操作ボタンに対応するリモコン３３０の各操作ボタンを押下することにより、通常再生（１倍速再生）はもちろんのこと、早送り、巻き戻し、スキップ、停止などの操作が可能である。例えば、早送り再生を行って受信中のライブ映像に追いつくこともできる。すなわち、本実施の形態におけるタイムシフト視聴システム１５は、タイムシフト視聴中の場合、表示装置１００が操作入力部に入力される操作指示を記録再生装置２００に転送する。そして、記録再生装置２００は、この操作指示に基づいて少なくとも静止画像の解除（再生の開始）や早送り、巻き戻しのいずれか1つの操作を行う。【００４２】
次に、時刻Ｔ３においてユーザが再度タイムシフト視聴を実行するかリモコン３３０の中央ボタン３３５（再生操作パネルの「ポーズ（ＰＡＵＳＥ）」ボタンに対応）を押下すると記録再生装置２００はポーズ状態で停止するとともに、表示部１４１に図２Ａの再生操作パネルを静止画映像に合成して表示する。この場合でも、記録再生装置２００はチューナ部２２２で受信したテレビ放送を記録し続ける。この状態でさらに、時刻Ｔ４において、ユーザが再度タイムシフト視聴を実行するかリモコン３３０の中央ボタン３３５（再生操作パネルの「プレイ（ＰＬＡＹ）」ボタンに対応）を押下すると、ポーズ状態の停止位置からふたたび再生モードとなりタイムシフト視聴がスタートする。【００４３】
次に、図４を参照しながら本発明の実施の形態におけるタイムシフト視聴システム１５において、表示装置１００に内蔵されているチューナ部１２２で放送を視聴中に、現在受信中のチャンネルとは別のチャンネルを選択したときの表示装置１００の表示部１４１に表示される画面の遷移を説明する。まず、表示装置１００と記録再生装置２００はそれぞれチューナ部１２２およびチューナ部２２２で同じチャンネル（ＣＨ４）のテレビ放送を受信しているとする。このとき、記録再生装置２００は記録待機中である。【００４４】
時刻Ｔ５において、表示装置１００の制御部１１２がユーザ操作部１１１などからの指令に基づいてチューナ部１２２をＣＨ１０に設定する。そして、その直後に表示装置１００の制御部１１２はチューナ部１２２の選局情報をコマンド入出力Ｉ／Ｆ１１３、２１３を経由して記録再生装置２００の制御部２１２に転送する。これを受けて記録再生装置２００の制御部２１２はチューナ部２２２を１０ＣＨに設定し、時刻Ｔ６で記録再生装置２００のチューナ部２２２で受信したテレビ放送がＣＨ１０に切り換わる。【００４５】
その後、時刻Ｔ７で記録再生装置２００の制御部２１２はエンコーダ部２３１でＣＨ１０の映像音声信号のエンコードを開始し、タイムシフト視聴の待機を行う。このように、表示装置１００でチャンネル設定が変更される毎に、記録再生装置２００のチューナ部２２２の設定を追従して変更するとともに、記録時に必要なエンコードなどの処理を事前に完了しておいてもよい。その結果、ユーザがいつリモコン３３０のＴＩＭＥ  ＳＨＩＦＴボタン３３７を押下してタイムシフト視聴を始めても、ＴＩＭＥ  ＳＨＩＦＴボタン３３７を押下した直後の映像音声から確実に記録できることになる。【００４６】
次に、本発明の実施の形態における第１のチューナ部を有する表示装置１００と、第２のチューナ部を有し表示装置１００に接続された記録再生装置２００からなるタイムシフト視聴システム１５におけるタイムシフト視聴方法について詳細に説明する。図５は本発明の実施の形態における表示装置１００において、表示装置１００に内蔵されているチューナ部１２２で放送を視聴中に、記録再生装置２００が現在受信中のチャンネルとは別のチャンネルを選択したとき、ならびに、ライブ放送受信中にタイムシフト視聴操作を実行したときの、表示装置１００と記録再生装置２００の動作の通信シーケンスを表すフロー図である。【００４７】
まず、初期状態として、表示装置１００に内蔵されているチューナ部１２２でＣＨ１０の放送を視聴中に、記録再生装置２００が現在受信中のチャンネルとは別のチャンネルを選択された場合の動作について説明する。ここでは、初期状態として、記録再生装置２００はスイッチ部２２３の入力がチューナ部２２２であり、チューナ部２２２でＣＨ４のテレビ放送を受信し記録待機中とする。ここで、記録再生装置２００が記録待機中であるとは、記録再生装置２００のメイン電源は切られているが、記録再生装置２００のスタンバイ電源が入っている状態である。この状態では、記録再生装置２００はコンテンツの記録再生などはできないが、ユーザからの指示を受け付ければチューナ部２２２のチャンネル設定が変更できる最小限の電源が供給されている。【００４８】
図５において、表示装置１００の制御部１１２は、ユーザからユーザ操作部１１１を介してＣＨ１０の選局を受付ける（ステップＳ４０１）。制御部１１２が記録再生装置２００に対して選局コマンド（ＣＨ＝１０）を送信し、制御部２１２がその選局コマンド（ＣＨ＝１０）を受信する（ステップＳ４０２）。制御部２１２がチューナ部２２２のチャンネルをＣＨ１０に設定し、ＣＨ１０を受信する（ステップＳ４０３）。制御部２１２は引き続きエンコーダ部２３１にチューナ部２２２の出力データの変換開始を指示する（ステップＳ４０４）。この時点での状態は、表示装置１００はスイッチ部１２３の入力がチューナ部１２２であり、チャンネル設定がＣＨ１０である。すなわち、表示装置１００はＣＨ１０を受信し、表示している。また、記録再生装置２００はスイッチ部２２３の入力がチューナ部２２２であり、チャンネル設定がＣＨ１０で記録待機中である。【００４９】
次に、表示装置１００のチューナ部１２２で放送を受信中に、ユーザ操作部１１１への入力でタイムシフト視聴開始の操作の受付が行われたときの動作を説明する。タイムシフト視聴開始の操作の受付が行われると（ステップＳ４０５）、制御部１１２が記録再生装置２００に対してタイムシフト視聴開始コマンドを送信する（ステップＳ４０６）。そして、制御部２１２がそのタイムシフト視聴開始コマンドを受信する。その結果に基づいて、制御部２１２が記録再生部２３２にデータの記録を指示して、データの記録を開始する（ステップＳ４０７）。制御部２１２が記録再生部２３２から取得したタイムシフト視聴結果に基づいて、表示装置１００に対してタイムシフト視聴結果通知コマンドを送信する（ステップＳ４０８）。ここで、タイムシフト視聴結果通知コマンドに基づいて得られるタイムシフト視聴結果通知は、ＯＫ通知とＮＧ通知とである。ＯＫ通知は、タイムシフト視聴が正常に行える場合に送信される。一方、ＮＧ通知はタイムシフト視聴が正常に行えない場合に送信される。タイムシフト視聴結果通知がＯＫ通知の場合、記録再生装置２００の制御ステップは、そのままステップＳ４１０以降のステップへ進む。【００５０】
一方、タイムシフト視聴結果通知がＮＧ通知の場合は、タイムシフト視聴結果通知コマンドのパラメータ値として与えられる、記録再生装置２００内部における記録のエラー要因を表示装置１００は判定する。そして、表示装置１００は図示しないメモリに格納された、該当するテキストパターン（図７に示す）を読み出してＯＳＤ表示部１２６にエラー要因の提示を行い（ステップＳ４０９）、フローを終了する。なお、タイムシフト視聴結果通知がＯＫ通知の場合は、ＯＳＤ表示は行われない。【００５１】
ステップＳ４１０では、制御部２１２が記録中のデータの先頭から記録部２３３より読み出して再生する。そして、制御部２１２がスイッチ部２２３の入力をデコーダ部２３４に切り換える（ステップＳ４１１）。制御部２１２が出力開始通知コマンドをコマンド入出力Ｉ／Ｆ２１３からブロードキャスト（Ｂｒｏａｄｃａｓｔ）送信し、制御部１１２が出力開始通知コマンドをコマンド入出力Ｉ／Ｆ１１３から受信する（ステップＳ４１２）。出力開始通知コマンドを受信すると制御部１１２がスイッチ部１２３の入力をデータ入力Ｉ／Ｆ１２５に切り換える（ステップＳ４１３）。制御部２１２が記録再生部２３２に対して再生一時停止を指示し、データ読み出しを一時停止し静止状態にする（ステップＳ４１４）。制御部２１２がＯＳＤ表示部２２６でポーズ中の再生操作パネル（図２Ａにおいて、中央ボタン３３５に対応する表示が次の操作で再生可能状態を示す”ＰＬＡＹ”となる状態）を表示する（ステップＳ４１５：図３における時刻Ｔ２に相当）。制御部２１２がデータ処理部２２４に対して映像音声データの送信を指示、データ処理部１２４が同データを受信する（ステップＳ４１６）。【００５２】
この一連の処理により、最終状態は、表示装置１００は、チューナ部１２２のチャンネル設定はＣＨ１０であるが、映像入力がデータ入力Ｉ／Ｆ１２５経由の記録再生装置２００からとなる。同様に、記録再生装置２００は、チューナ部２２２のチャンネル設定はＣＨ１０で記録部２３３に記録した映像をデコーダ部２３４から表示装置１００に出力している。このとき、タイムシフト視聴のポーズ状態となっている。【００５３】
なお、上記の表示装置１００が処理するステップＳ４１３、ステップＳ４１６と記録再生装置２００が処理するステップＳ４１４〜ステップＳ４１６は並行して同時に行われる。この間、フローに図示しないが、制御部１１２がデータ処理部１２４にてＨＤＭＩの規格に従った認証処理と映像音声処理を行い、表示部１４１が映像を出力し、スピーカ部１４２が音声を出力する。【００５４】
上記したように、本発明の実施の形態における第１のチューナ部を有する表示装置１００と、第２のチューナ部を有し表示装置１００に接続された記録再生装置２００からなるタイムシフト視聴システム１５におけるタイムシフト視聴方法は、以下のステップを備えている。すなわち、表示装置１００が、放送チャンネル切換え指示に基づき第１のチューナ部の受信コンテンツの放送チャンネル切換え制御を行うのと同時に、切換え後の放送チャンネルの情報を含む選局コマンドを記録再生装置２００へ送信するステップと、選局コマンドを受信した記録再生装置２００は、選局コマンドに基づいて第２のチューナ部のチャンネル選局をするステップとを備えている。そして、表示装置１００は、タイムシフト視聴の操作指示に基づきタイムシフト視聴の開始を指示するタイムシフト視聴開始コマンドを記録再生装置２００へ送信するステップと、タイムシフト視聴開始コマンドを受信した記録再生装置２００は、コンテンツを記録、再生し、コンテンツを表示装置１００へ出力するとともに、出力開始通知コマンドを表示装置１００へ送信するステップと、出力開始通知コマンドを受信した表示装置１００は、コンテンツの入力経路を第１のチューナ部から記録再生装置２００へ切り換えるステップとを備えている。【００５５】
また、表示装置１００がタイムシフト視聴開始コマンドを記録再生装置２００へ送信するステップは、第１のチューナ部の受信中のコンテンツの放送チャンネルの情報を含む選局コマンドの送信も含む。【００５６】
図６は本発明の実施の形態における表示装置において、番組ポーズ中にタイムシフト視聴操作を実行したときおよびタイムシフト再生中にリモコンの中央ボタンを操作したときの表示装置１００と記録再生装置２００の動作の通信シーケンスを表すフロー図である。【００５７】
初期状態として、表示装置１００は、チューナ部１２２のチャンネル設定はＣＨ１０であるが、映像入力がデータ入力Ｉ／Ｆ１２５経由の記録再生装置２００からである。記録再生装置２００は、チューナ部２２２のチャンネル設定がＣＨ１０で、記録部２３３に記録した映像をデコーダ部２３４から表示装置１００に出力している。この場合を例に、タイムシフト視聴の番組ポーズ中に表示装置１００から様々なリモコン操作があった場合のタイムシフト視聴システムの動作について説明する。【００５８】
表示装置１００が記録再生装置２００のタイムシフト視聴の静止画面を表示中に、ユーザ操作部１１１への入力により、再度タイムシフト視聴開始操作の受付が行われる（ステップＳ５０１）。この受付に基づいて、制御部１１２が記録再生装置２００に対してタイムシフト視聴開始コマンドをコマンド入出力Ｉ／Ｆ１１３から送信し、制御部２１２が同コマンドをコマンド入出力Ｉ／Ｆ２１３から受信する（ステップＳ５０２）。制御部２１２が表示装置１００に対してタイムシフト視聴結果通知コマンド（ＯＫ通知）をコマンド入出力Ｉ／Ｆ２１３から送信し、制御部１１２が同コマンドをコマンド入出力Ｉ／Ｆ１１３から受信する（ステップＳ５０３）。受信したタイムシフト視聴結果通知がＯＫ通知なので、制御部１１２はＯＳＤ表示部１２６に何も表示しない。【００５９】
制御部２１２が記録再生部２３２に対して記録部２３３のデータ読み出しを再開、静止の解除を指示する（ステップＳ５０４）。制御部２１２がＯＳＤ表示部２２６で再生中の再生操作パネル（図２Ｂ、中央ボタン３３５に対応する表示が次の操作で停止可能状態を示す「ＰＡＵＳＥ」となる）を表示する（ステップＳ５０５）。制御部２１２がデータ処理部２２４に対して映像音声データの送信を指示、データ処理部１２４が同データを受信する（ステップＳ５０６）。【００６０】
これにより、タイムシフト視聴システム１５の最終状態は次のようになる。表示装置１００は、チューナ部１２２のチャンネル設定はＣＨ１０であるが、映像入力がデータ入力Ｉ／Ｆ１２５経由の記録再生装置２００からとなる。記録再生装置２００は、チューナ部２２２のチャンネル設定はＣＨ１０で、記録部２３３に記録した映像をデコーダ部２３４から表示装置１００に出力している。このとき、タイムシフト（再生）が始まる。【００６１】
次に、表示装置１００が記録再生装置２００のタイムシフト視聴の再生画面を表示中に、ユーザ操作部１１１への入力でリモコン３３０の中央ボタン３３５の操作の受付が行われると（ステップＳ５０７）、制御部１１２が記録再生装置２００に対してユーザ操作押下「ＥＮＴＥＲ」コマンドをコマンド入出力Ｉ／Ｆ１１３から送信し、制御部２１２が同コマンドをコマンド入出力Ｉ／Ｆ２１３から受信する（ステップＳ５０８）。制御部２１２が記録再生部２３２に対して再生一時停止を指示し、静止状態にする（ステップＳ５０９）。すなわち、制御部２１２は、記録再生部２３２により記録されたデータを再生中に第２のコマンド入出力部にタイムシフト視聴開始コマンドが入力される場合、再生一時停止を行なって静止画像を表示する制御を行う。【００６２】
その後、制御部２１２がＯＳＤ表示部２２６でポーズ中の再生操作パネル（図２Ａにおいて、中央ボタン３３５に対応する表示が次の操作で再生可能状態を示す”ＰＬＡＹ”となる状態）を表示する（ステップＳ５１０）。制御部２１２がデータ処理部２２４に対して映像音声データをデータ出力Ｉ／Ｆ２２５から送信するよう指示し、第１データ処理部１２４が同データをデータ入力Ｉ／Ｆ１２５から受信する（ステップＳ５１１）。【００６３】
この結果、タイムシフト視聴システム１５のタイムシフト視聴のポーズの場合の最終状態では、表示装置１００は、チューナ部１２２のチャンネル設定はＣＨ１０であるが、映像入力がデータ入力Ｉ／Ｆ１２５経由の記録再生装置２００となる。記録再生装置２００は、チューナ部２２２のチャンネル設定がＣＨ１０で、記録部２３３に記録した映像をデコーダ部２３４から表示装置１００に出力している。一方、タイムシフト視聴の再生の場合の最終状態では、表示装置１００は、チューナ部１２２のチャンネル設定はＣＨ１０であるが、映像入力がデータ入力Ｉ／Ｆ１２５経由の記録再生装置２００からとなる。記録再生装置２００は、チューナ部２２２のチャンネル設定がＣＨ１０で、記録部２３３に記録した映像をデコーダ部２３４から表示装置１００に出力している。【００６４】
ここで、ステップＳ５０９以降のフローは前述のステップＳ４１３〜ステップＳ４１６に示すフローと同じである。また、ポーズ中にリモコン３３０の中央ボタン３３５の操作の受付が行われたときの動作は、前述のステップＳ５０４〜ステップＳ５０６に示すフローと同じであり、図示は省略する。さらに、再生中にタイムシフト視聴開始操作の受付が行われたときの動作は、ステップＳ５０１〜ステップＳ５０３に示すフローに続きステップＳ５０９〜ステップＳ５１１に示すフローと同じであり、図示は省略する。なお、タイムシフト視聴システム１５においては、表示装置１００はユーザの操作入力に対して一対一に定義されたコマンドを送信すればよく、記録再生装置２００の動作状態を知る必要はない。【００６５】
また、上述したタイムシフト視聴システム１５の動作はＨＤＭＩ規格準拠の標準コマンドあるいはベンダーユニークコマンドを表示装置１００と記録再生装置２００の間でやりとりすることで実現できる。したがって、ユーザは表示装置１００のリモコン３３０のみを使って、タイムシフト視聴システム１５を操作可能である。これにより、タイムシフト視聴時の操作の度にリモコン３３０を持ち替える必要がないので操作性とレスポンスを大きく改善することができる。【００６６】
また、上記の説明では、表示装置１００のチューナ部１２２のチャンネル設定を切り換えたときに、そのチャンネル設定を記録再生装置２００に送信して、記録再生装置２００のチューナ部２２２に同じチャンネルを設定してタイムシフト視聴をすると説明した。チューナ部１２２の設定情報としては、チャンネルの設定情報のみではなく、チューナ部１２２で受信中のコンテンツで視聴設定されている音声切換え情報や字幕切換え情報もある。これらの情報も表示装置１００から記録再生装置２００に送信してもよい。音声切換えや字幕切換えの設定情報はタイムシフト視聴時の記録再生装置２００から映像音声データを再生する際に必要となる情報である。したがって、チャンネル設定のように表示装置１００のチャンネルが切り換わったタイミングで送信する必要はなく、図５におけるステップＳ４０６のタイムシフト視聴開始コマンドの送信時に一緒に送ってやればよい。【００６７】
すなわち、第１の制御部は、タイムシフト視聴開始コマンドを出力するときに第１のチューナ部の受信中のコンテンツで視聴設定されている音声切換え情報または字幕切換え情報も第１のコマンド入出力部から出力する制御を行ってもよい。【００６８】
例えば、表示装置１００の音声切換え設定、すなわち日本語音声か英語音声か、あるいは主音声か副音声かなどの設定情報をタイムシフト視聴開始コマンドとともに記録再生装置２００に送り、記録再生装置２００はこの設定情報を記憶部（図示せず）に記憶しておく。そして、記録再生装置２００はタイムシフト視聴時にこの記憶した設定情報を読み出し、記録再生装置２００から再生したコンテンツの音声信号をこの設定情報に基づいて切り換える。これにより、表示装置１００のチューナ部１２２で受信中の放送コンテンツに含まれる複数の音声信号の中から表示装置１００で選択された音声信号と同じ音声信号を記録再生装置２００から表示装置１００へ出力させる。このことにより、それまでの視聴中にユーザ操作により選択した音声信号の再生をタイムシフト視聴中も継続することができる。【００６９】
また、音声切換え設定と同様に、字幕切換え設定、すなわち字幕をオンにするかオフにするか、あるいは日本語字幕か英語字幕かなどの設定情報をタイムシフト視聴開始コマンドとともに記録再生装置２００に送り、記録再生装置２００はこの設定情報を記憶部（図示せず）に記憶しておく。そして、記録再生装置２００はタイムシフト視聴時にこの記憶した設定情報を読み出し、記録再生装置２００から再生したコンテンツの字幕信号をこの設定情報に基づいて切り換える。これにより、表示装置１００のチューナ部１２２で受信中の放送コンテンツに含まれる複数の字幕信号の中から表示装置１００で選択された字幕信号と同じ字幕信号を記録再生装置２００から表示装置１００へ出力させる。このことにより、それまでの視聴中にユーザ操作により選択した字幕信号の再生をタイムシフト視聴中も継続することができる。【００７０】
上述したようにこれらの設定情報は、図５においてステップＳ４０６でタイムシフト視聴開始コマンドを表示装置１００から記録再生装置２００に送信する際、同時に送るだけでよく、特別な処理は不要である。【００７１】
次に、図５のステップＳ４０９あるいは図６のステップＳ５０３において通知結果がＮＧ通知の場合にＯＳＤ表示部２２６に表示する表示内容について説明する。図７は本発明の実施の形態における表示装置１００において、タイムシフト視聴実行時の記録再生装置２００からの通信で得られるエラー要因を表示部に表示するテキストメッセージを表す図である。【００７２】
制御部２１２は、記録再生部２３２が記録できないと判断したとき、コマンド入出力Ｉ／Ｆ２１３から記録できないエラー要因を出力し、制御部１１２は、コマンド入出力Ｉ／Ｆ１１３から入力した記録できないエラー要因を解析し、解析結果を画面表示する。以下では、制御部１１２が解析結果を画面表示する動作について説明する。【００７３】
まず、エラー要因について説明する。タイムシフト視聴実行時の記録再生装置２００からの通信で得られるエラー要因としては、種々のものがあるが一例を図７に示す。大きく分けると、（１）放送番組自体に関連する要因、（２）記録再生装置２００の動作状態に関連する要因、（３）記録メディアの要因、（４）記録再生装置２００の設定による要因がある。【００７４】
まず、（１）の場合の例としては、タイムシフト視聴の対象番組が選択不可、視聴制限がかかっている、信号が送られてきていない、表示装置１００や記録再生装置２００が対応していない放送方式である場合などである。この場合は、例えば「指定された放送が記録できません」というメッセージを表示する。また、対象放送番組がコピー禁止であったり、コピー回数がすでに超過していたりする番組の場合は、例えば「著作権保護のために記録できない放送です」というメッセージを表示する。【００７５】
また、（２）の例としては、記録装置の記録済みコンテンツを再生中の場合、「再生中のため記録できません」というメッセージを表示し、すでに予約録画番組を録画中の場合は「すでに録画中のため記録できません」というメッセージを表示する。【００７６】
（３）の例としては、メディアの残容量が不足している場合、メディアが書き込み禁止である場合、あるいはメディアに不具合があり記録ができない場合などが考えられる。例えば、メディアの残容量が不足の場合は「記録できません。メディアの残容量を確認してください」などのメッセージを表示すればよい。【００７７】
（４）の例としては、記録再生装置２００の設定が記録禁止になっているような場合であり、この場合は「記録できません。記録再生装置の設定を確認ください」などのメッセージを表示すればよい。【００７８】
このように、タイムシフト視聴が失敗した場合に表示装置１００の画面上にエラー要因を表示して表示装置１００から記録再生装置２００への入力切換えの処理を省略することにより、操作レスポンスを向上させることができる。また、ユーザにタイムシフト視聴がうまく働かない理由を通知することにより、ユーザが誤って記録できていると勘違いするのを防止することができる。また、記録再生装置２００の状態や設定を見直したり、記録メディアを記録できる状態にしたりするなどの対処を迅速に行うことが可能となる。【００７９】
次に、ＣＥＣコマンドのフォーマットについて説明する。図８、図９、図１０は本発明の実施の形態におけるタイムシフト視聴システム１５で使用されるベンダーユニークな３種類のＣＥＣコマンドのフォーマットの１例を示すものである。図８は選局コマンドのＣＥＣコマンドフォーマット例である。図９はタイムシフト視聴開始コマンドのＣＥＣコマンドフォーマット例である。図１０はタイムシフト視聴結果通知コマンドのＣＥＣコマンドフォーマット例である。次に、それぞれのコマンドについて、伝送方向、指示内容、伝送情報、受信機器の応答内容について説明する。【００８０】
図８に示す選局コマンドは、図５におけるステップＳ４０２において、表示装置１００から記録再生装置２００へ向けて伝送されるデジタルチャンネルの選局を指示するコマンドである。この選局コマンドは、“トランスポートストリームＩＤ（Ｔｒａｎｓｐｏｒｔ＿Ｓｔｒｅａｍ＿ＩＤ）”、“サービスＩＤ（Ｓｅｒｖｉｃｅ＿ＩＤ）”、“オリジナルネットワークＩＤ（Ｏｒｉｇｉｎａｌ＿Ｎｅｔｗｏｒｋ＿ＩＤ）”の６バイト（ｂｙｔｅ）の情報および実際の伝送周波数“周波数（Ｆｒｅｑｕｅｎｃｙ）”の２ｂｙｔｅの情報を含んでいる。この選局コマンドを受信した記録再生装置２００側は、スタンバイ状態で、かつ放送されている信号が受信可能な状態であれば指定されたデジタルチャンネルを選局する。【００８１】
図９に示すタイムシフト視聴開始コマンドは、例えば図５におけるステップＳ４０６において表示装置１００から記録再生装置２００へ向けて伝送されるタイムシフト視聴の開始を指示するコマンドである。このタイムシフト視聴開始コマンドは“Ｔｒａｎｓｐｏｒｔ＿Ｓｔｒｅａｍ＿ＩＤ”、“Ｓｅｒｖｉｃｅ＿ＩＤ”の４ｂｙｔｅの情報以外に“ビデオＰＩＤ（Ｖｉｄｅｏ  ＰＩＤ）”、“オーディオＰＩＤ（Ａｕｄｉｏ  ＰＩＤ）”、“モード（Ｍｏｄｅ）”、“音声主副選択（Ｂｉｌｉｎｇｕａｌ  Ａｕｄｉｏ  Ｓｅｌｅｃｔｉｏｎ）”、“字幕ＰＩＤ（Ｓｕｂｔｉｔｌｅ  ＰＩＤ）”、“字幕言語（Ｓｕｂｔｉｔｌｅ  Ｌａｎｇｕａｇｅ）”の８ｂｙｔｅの情報を含んでいる。“Ｖｉｄｅｏ  ＰＩＤ”はタイムシフト視聴の実行時の映像コンテンツと再生時の映像コンテンツを確実に一致させるために指定する。“Ａｕｄｉｏ  ＰＩＤ”はタイムシフト視聴の実行時の音声コンテンツと再生時の音声コンテンツを確実に一致させるために指定する。“Ｍｏｄｅ”、“Ｓｕｂｔｉｔｌｅ  ＰＩＤ”、“Ｓｕｂｔｉｔｌｅ  Ｌａｎｇｕａｇｅ”はタイムシフト視聴の実行時の字幕の有無、コンテンツ、言語の設定と再生時の設定を確実に一致させるために指定する。“Ｂｉｌｉｎｇｕａｌ  Ａｕｄｉｏ  Ｓｅｌｅｃｔｉｏｎ”はタイムシフト視聴の実行時の音声コンテンツにおける、主副音声チャンネルの設定と再生時の主副音声チャンネルの設定を確実に一致させるために指定する。【００８２】
このタイムシフト視聴開始コマンドを受信した記録再生装置２００側は、指定された条件によるタイムシフト視聴が可能であれば、タイムシフト視聴を開始する。タイムシフト視聴を開始したかどうかの結果をレスポンスとして返信する。【００８３】
図１０に示すタイムシフト視聴結果通知コマンドは、例えば図５におけるステップＳ４０８において記録再生装置２００から表示装置１００へ向けて伝送されるタイムシフト視聴を開始できたかどうかの結果を返すコマンドである。【００８４】
このタイムシフト視聴結果通知コマンドは、タイムシフト視聴を開始できたかどうかの結果を１ｂｙｔｅのコードで返信する。このタイムシフト視聴結果通知コマンドを受信した表示装置１００側は、必要に応じ上記の結果に応じたエラー要因（図７に例を示す）を表示部１４１に表示してもよい。ただし、“リクエスト受信済み（Ｒｅｑｕｅｓｔ  ｒｅｃｅｉｖｅｄ）”の場合は何も表示しなくてよい、あるいはタイムシフト視聴開始にもう少し時間がかかることを示す旨の表示を行ってもよい。【００８５】
このようにして、制御部２１２は、記録再生部２３２が即時記録できないと判断したとき、コマンド入出力Ｉ／Ｆ２１３からタイムシフト視聴開始コマンドの受理の通知を出力し、さらに記録が可能になったとき、コマンド入出力Ｉ／Ｆ２１３から記録開始の結果を通知する。そして、制御部１１２は、コマンド入出力Ｉ／Ｆ１１３から入力したタイムシフト視聴開始コマンドの受理の通知を解析し、解析結果を画面表示する。さらに、制御部１１２は、タイムシフト視聴結果通知コマンドに基づく記録開始の結果の通知を解析して、解析結果を表示部１４１に画面表示する。【００８６】
以上説明したように、本発明によれば表示装置１００に内蔵されているチューナ部１２２のコンテンツが切り換わると、記録再生装置２００に内蔵されているチューナ部２２２のコンテンツを表示装置１００に内蔵されているチューナ部１２２で切換えられて視聴が開始されたコンテンツと同じコンテンツに切り換えて、タイムシフト視聴の開始の操作を行う際の記録コンテンツ切換え操作を省略する。それと同時に記録再生装置２００の選局に伴う受信信号の符号化や記録信号復号のための処理を省略し、タイムシフト視聴コンテンツを頭切れなく記録できるとともに操作レスポンスを向上させることができる。【００８７】
また、表示装置１００に内蔵されているチューナ部１２２における受信中の放送コンテンツに含まれる複数の音声信号の切換え設定情報や、字幕信号の切換え設定情報をタイムシフト視聴開始コマンドとともに記録再生装置２００へ送って記憶しておいてもよい。そして、記録再生装置２００が、タイムシフト視聴時にこれらの設定情報を読み出して切り換えることにより、それまでの視聴中にユーザ操作により選択した音声信号や字幕信号の再生をタイムシフト視聴中も継続することができる。【００８８】
また、タイムシフト視聴開始時、すなわち、表示装置１００の入力経路が記録再生装置２００の信号出力端子であるデータ出力Ｉ／Ｆ２２５に切り換わったとき、表示装置１００は表示部１４１に表示される画面に記録再生装置２００のポーズ画面を表示させると同時に、記録再生装置２００の再生操作ガイドを表示させることにより、ユーザの操作性を向上することができる。【００８９】
さらには、タイムシフト視聴が失敗した場合に表示装置１００の画面上にエラー要因を表示して表示装置１００から記録再生装置２００への入力切換えの処理を省略することにより、操作レスポンスを向上させることができる。また、ユーザにタイムシフト視聴がうまく働かない理由を通知することにより、記録再生装置２００の状態や設定を見直したり、記録メディアを記録できる状態にしたりするなどの対処を迅速に行うことが可能となる。【００９０】
なお、タイムシフト視聴中にユーザの指示により、表示装置１００の入力経路が記録再生装置２００以外の信号出力端子に切り換わったとき、ユーザが放送番組の視聴を中止したと判断できるのでこの時点で記録再生装置２００への記録を中断するようにしてもよい。例えば、タイムシフト視聴のためにチューナ部２２２が受信した放送番組をＤＶＤで記録中に、ユーザがＤＶＲやセットトップボクッス（ＳＴＢ）や映像信号の出力機能を有するパーソナルコンピュータ（ＰＣ)などのタイムシフト視聴システム１５に含まれない他の外部機器をテレビ受像機の外部入力端子に接続し、テレビ受像機のリモコンで外部入力を選択してＤＶＲの再生画を視聴するような場合である。このように、表示装置１００の入力経路が上記した他の外部機器の信号出力端子に切り換わったとき、表示装置１００は第１のチューナ部または他の外部機器の信号出力端子からの映像音声データの出力を検知し、記録再生装置２００に通知する出力開始通知コマンドを発行する。そして、記録再生装置２００は、出力開始通知コマンドに基づいて記録を中断する。【００９１】
また、本実施の形態では、選局コマンドは表示装置１００のチューナ部１２２のチャンネルが切り換えられたときに、表示装置１００から記録再生装置２００へ送信されるとして説明したが、タイムシフト視聴開始コマンドの送信時に同時に送ってもよい。これにより、選局コマンドとタイムシフト視聴開始コマンドを同じタイミングで送信できるので通信制御が簡単となる。【００９２】
また、本実施の形態においてタイムシフト視聴開始コマンドの受理とは、図１０で説明したタイムシフト視聴結果通知コマンドのパラメータ“Ｒｅｑｕｅｓｔ  ｒｅｃｅｉｖｅｄ”に相当し、記録再生装置２００がすぐに記録の成否結果を通知しないでタイムシフト視聴開始コマンドを受理したことのみを示すものである。この場合は、表示画面に「しばらくお待ちください」と表示してもよいし、何も表示しなくてもよい。
【産業上の利用可能性】
【００９３】
本発明は、例えば、表示装置と記録再生装置から構成される視聴システムでタイムシフト記録を実施するのに有用であり、幅広く適用可能である。
【図１】
2009084139.tif 000003
【図２Ａ】
2009084139.tif 000004
【図２Ｂ】
2009084139.tif 000005
【図２Ｃ】
2009084139.tif 000006
【図３】
2009084139.tif 000007
【図４】
2009084139.tif 000008
【図５】
2009084139.tif 000009
【図６】
2009084139.tif 000010
【図７】
2009084139.tif 000011
【図８】
2009084139.tif 000012
【図９】
2009084139.tif 000013
【図１０】
2009084139.tif 000014
【手続補正書】
【提出日】平成22年2月9日(2010.2.9)
【手続補正１】
【補正対象書類名】明細書
【補正対象項目名】全文
【補正方法】変更
【補正の内容】
【発明の詳細な説明】
【技術分野】
【０００１】
本発明は、テレビ放送を受信中にタイムシフト視聴を行うタイムシフト視聴システム、表示装置およびタイムシフト視聴方法に関する。
【背景技術】
【０００２】
一般に、テレビ受像機は、テレビ放送を受信して視聴するだけでなく、ＤＶＲ（Ｄｉｇｉｔａｌ  Ｖｉｄｅｏ  Ｒｅｃｏｄｅｒ）やＤＶＤ（Ｄｉｇｉｔａｌ  Ｖｅｒｓａｔｉｌｅ  Ｄｉｓｃ）の記録再生装置などのビデオ機器を接続し、それらの装置で記録されたコンテンツや市販のコンテンツを再生したものの視聴を行う。そのため、テレビにはテレビ放送を受信するためのアンテナ端子に加えて、１個もしくは複数個の外部入力端子が備えられていることが多い。ユーザは、目的に応じて、これらの外部入力をリモートコントローラ（以下、「リモコン」と略記する）や本体上のボタンなどを用いて切り換えている。
【０００３】
また、一般にビデオ機器にはチューナが搭載されており、テレビ放送の受信が可能な場合が多く、蓄積コンテンツの再生を行っていない場合は、受信したテレビ放送をテレビ受像機などの表示装置に出力するのが一般的である。そのため、テレビ受像機の外部入力端子における信号入力をビデオ機器などに切り換えても、テレビ放送を視聴することは可能である。
【０００４】
そこで、テレビ受像機などの表示装置とビデオ機器などの記録再生装置の間でやりとりするコマンドを用いて、自動的にテレビ受像機における映像音声データの入力経路を切り換える装置や方法などについて規格化がなされている。この入力経路を切り替えることは、例えば、テレビ受像機が、内蔵されているチューナから出力された映像音声データを表示している状態から、外部入力端子に接続されている記録再生装置の出力する映像音声データに切り換えて表示することである。
【０００５】
このような切り換えを行うために、例えば、表示装置や記録再生装置などが連携して動作するためのコマンドが規定されている（例えば、非特許文献１参照）。これによると、例えば記録再生装置が再生を開始したときに、記録再生装置は表示装置に出力開始通知コマンドを発行する。その結果、表示装置は、自動的に表示装置の外部入力端子における信号入力を記録再生装置に切り換える。そして、記録再生装置が再生したコンテンツを表示装置上で表示させることができる。
【０００６】
また、ユーザからの操作により、表示装置で視聴したい記録再生装置が選択されたときに、表示装置からその記録再生装置に出力開始指示コマンドを送ると、その記録再生装置から表示装置に出力開始通知コマンドが発行される。このようなコマンドのやりとりによって、表示装置の外部入力端子における信号入力を記録再生装置に切り換え、記録再生装置が再生したコンテンツを表示装置上で表示させることができる。
【０００７】
また、一般的に記録再生装置は記録媒体としてビデオテープやＤＶＤ−ＲＡＭの他にハードディスクドライブ（以下、「ＨＤＤ」と略記する）を内蔵した装置がある。ＨＤＤを内蔵した装置は、大容量でランダムアクセス性に優れ、記録と再生が同時に可能であるといったＨＤＤの特性を活かした、タイムシフト視聴機能を搭載したものが主流になっている。タイムシフト視聴とは、このような記録再生装置において、例えば、記録再生装置に内蔵されているチューナが受信したコンテンツを記録部（ＨＤＤ）に記録しながら、同時に記録中のコンテンツの再生を行う機能のことである。したがって、タイムシフト視聴により、コンテンツの見逃したシーンから視聴し直したり、留守番録画中の番組を追っかけ再生などしたりすることができる。
【０００８】
また、記録再生に伴う受信信号の符号化や記録信号復号のための処理を行う間に、記録再生装置に内蔵されているチューナで受信中のライブ映像を出力して、見かけ上の操作レスポンスを向上させることで、大事なシーンを見逃すことがないよう、工夫がなされている（例えば、特許文献１参照）。
【０００９】
しかし、従来の記録再生装置はタイムシフト視聴の開始を行おうとする場合、事前に接続する表示装置の外部入力端子における信号入力を記録再生装置に切り換え、かつ、記録再生装置に内蔵されているチューナの受信しているコンテンツを切り換えなければならないため、それまで見ていたコンテンツが一旦視聴できなくなったり、ＣＭなどのタイミングまで切換えを待ったりする必要がある。そのため、表示装置に内蔵されているチューナでコンテンツを視聴中の場合はすぐに切換え操作ができない。
【００１０】
この場合、前述のコマンドのやりとりを使ったとしても、表示装置のリモコンだけでは記録再生装置に内蔵されているチューナのコンテンツをそれまで表示装置に内蔵されているチューナで視聴していたコンテンツと同じコンテンツに切り換える操作はできず、記録再生装置のリモコンに持ち替えて操作する必要がある。タイムシフト視聴の開始を行う際に、表示装置との間でコマンドをやりとりして記録再生装置に内蔵されているチューナのコンテンツをタイムシフト視聴に連動して切り換える方法も考えられる。しかし、チューナでの選局処理ならびに出力データをエンコードしてＨＤＤに記録可能なデータに変換するのにかかる処理時間を要するため、タイムシフト視聴の開始を行おうとした時点からすぐに記録を開始できずに頭切れが発生する。
【００１１】
また、一般的に記録再生装置への入力切換え操作は表示装置のリモコンで行うことは可能であるが、その後のタイムシフト視聴実行操作や特殊再生操作は記録再生装置のリモコンに持ち替えて操作する必要がある。
【００１２】
しかしながら、特許文献１に示された従来の方法では、タイムシフト視聴に際して、放送信号の選局による信号切換え毎に必要となる信号切換え時間および記録再生処理のための処理時間を見かけ上省略することは可能であるが、タイムシフト視聴をするコンテンツを記録するタイミングにはなんら注意が払われていない。従って、記録再生装置に記録されたコンテンツの先頭映像は、ユーザがタイムシフト視聴を行おうとしてタイムシフト視聴開始ボタンを押したタイミングよりも信号切換え時間および記録処理時間に相当する時間だけ遅れる。その結果、その遅れ時間に相当する期間のコンテンツの映像音声データはＨＤＤなどに記録されないことになる。大事な場面の映像や音声をちょうどそのタイミングに受信した場合には、その大事な場面の映像や音声が記録されないなどの課題があった。また、従来の方法ではタイムシフト視聴を行う際には、表示装置のリモコンと記録再生装置のリモコンとを頻繁に持ち替えて操作する必要があり、操作性とレスポンスに課題があった。
【先行技術文献】
【非特許文献】
【００１３】
【非特許文献１】ＨＤＭＩ−ＣＥＣ（Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．３ａ  −  Ｃｏｎｓｕｍｅｒ  Ｅｌｅｃｔｒｏｎｉｃｓ  Ｃｏｎｔｒｏｌ）規格
【特許文献】
【００１４】
【特許文献１】特開２００４−１８６９９７号公報
【発明の概要】
【００１５】
本発明のタイムシフト視聴システムは、表示装置と、表示装置に接続された記録再生装置からなるタイムシフト視聴システムであって、表示装置は、放送波を受信してコンテンツを出力する第１のチューナ部と、第１のチューナ部の受信コンテンツの放送チャンネル切換え操作指示ならびにタイムシフト視聴の操作指示を入力する操作入力部と、記録再生装置からコンテンツを入力するコンテンツ入力部と、コンテンツの入力経路を第１のチューナ部とコンテンツ入力部とに切り換える第１の入力切換部と、第１の入力切換部から入力するコンテンツを表示する表示部と、記録再生装置からコマンドを入力し、かつ前記記録再生装置にコマンドを出力する第１のコマンド入出力部とを備える。また、表示装置は、操作入力部から入力する放送チャンネル切換え指示に基づき第１のチューナ部の受信コンテンツの放送チャンネル切換え制御を行うのと同時に、切換え後の放送チャンネルの情報を含む選局コマンドを第１のコマンド入出力部から出力する制御と、タイムシフト視聴の操作指示に基づきタイムシフト視聴の開始を指示するタイムシフト視聴開始コマンドを第１のコマンド入出力部から出力する制御と、第１のコマンド入出力部から入力する出力開始コマンドにより入力切換部を切り換える制御とを行う第１の制御部とを備える。
【００１６】
また、記録再生装置は、放送波を受信してコンテンツを出力する第２のチューナ部と、第２のチューナ部から入力するコンテンツを記録用データに変換し記録再生する記録再生部と、記録再生部に記録されたコンテンツの記録用データを表示装置のコンテンツ入力部に出力するコンテンツ出力部と、第１のコマンド入出力部からコマンドを入力し、かつ第１のコマンド入出力部にコマンドを出力する第２のコマンド入出力部とを備える。また、記録再生装置は、第２のコマンド入出力部から入力した選局コマンドに従って第２のチューナ部のチャンネル選局をする制御と、タイムシフト視聴開始コマンドに従って記録再生部にコンテンツの記録、再生し、コンテンツ出力部からコンテンツを出力する制御と、表示装置のコンテンツの入力経路を第１のチューナ部からコンテンツ入力部へ切り換える映像出力開始コマンドを第２のコマンド入出力部から出力する制御を行う第２の制御部とを備えることを特徴とする。
【００１７】
この構成により、表示装置に内蔵されているチューナ部のコンテンツが切り換わると、記録再生装置に内蔵されているチューナ部のコンテンツを表示装置に内蔵されているチューナ部で切換えられて視聴が開始されたコンテンツと同じコンテンツに切り換えて、タイムシフト視聴の開始の操作を行う際の記録コンテンツ切換え操作を省略する。それと同時に記録再生装置の選局に伴う受信信号の符号化や記録信号復号のための処理を省略し、タイムシフト視聴コンテンツを頭切れなく記録できるとともに操作レスポンスを向上させることができる。
【００１８】
本発明の表示装置は、記録再生装置と接続されてタイムシフト視聴システムを構成する表示装置であって、放送波を受信してコンテンツを出力する第1のチューナ部と、第1のチューナ部の受信コンテンツの放送チャンネル切換え操作指示ならびにタイムシフト視聴の操作指示を入力する操作入力部と、記録再生装置からコンテンツを入力するコンテンツ入力部と、コンテンツの入力経路を第1のチューナ部とコンテンツ入力部とに切り換える第1の入力切換部と、第1の入力切換部から入力するコンテンツを表示する表示部と、記録再生装置からコマンドを入力し、かつ前記記録再生装置にコマンドを出力する第1のコマンド入出力部と、操作入力部から入力する放送チャンネル切換え指示に基づき第1のチューナ部の受信コンテンツの放送チャンネル切換え制御を行うのと同時に、切換え後の放送チャンネルの情報を含む選局コマンドを第1のコマンド入出力部から記録再生装置へ出力する制御と、タイムシフト視聴の操作指示に基づきタイムシフト視聴の開始を指示するタイムシフト視聴開始コマンドを第1のコマンド入出力部から記録再生装置へ出力する制御と、第1のコマンド出入力部から入力する記録再生装置からの出力開始コマンドにより入力切換部を切り換える制御を行う第1の制御部と、を備えることを特徴とする。
【００１９】
本発明のタイムシフト視聴方法は、第１のチューナ部を有する表示装置と、第２のチューナ部を有し表示装置に接続された記録再生装置からなるタイムシフト視聴システムにおけるタイムシフト視聴方法であって、表示装置は、放送チャンネル切換え指示に基づき第１チューナ部の受信コンテンツの放送チャンネル切換え制御を行うのと同時に、切換え後の放送チャンネルの情報を含む選局コマンドを記録再生装置へ送信するステップと、選局コマンドを受信した記録再生装置は、選局コマンドに基づいて第２のチューナ部のチャンネル選局をするステップと、表示装置は、タイムシフト視聴の操作指示に基づきタイムシフト視聴の開始を指示するタイムシフト視聴開始コマンドを記録再生装置へ送信するステップと、タイムシフト視聴開始コマンドを受信した記録再生装置は、コンテンツを記録、再生し、コンテンツを表示装置へ出力するとともに、出力開始通知コマンドを表示装置へ送信するステップと、出力開始通知コマンドを受信した表示装置は、コンテンツの入力経路を第１のチューナ部から記録再生装置へ切り換えるステップとを備えることを特徴とする。
【図面の簡単な説明】
【００２０】
【図１】本発明の実施の形態におけるタイムシフト視聴システムの概要を示すブロック図
【図２Ａ】本発明の実施の形態におけるタイムシフト視聴システムの記録再生装置が番組ポーズ中に表示装置の画面上に表示する再生操作パネルを示す図
【図２Ｂ】本発明の実施の形態におけるタイムシフト視聴システムのタイムシフト再生中に記録再生装置が表示装置の画面上に表示する再生操作パネルを示す図
【図２Ｃ】本発明の実施の形態におけるタイムシフト視聴システムの再生操作パネルに対応した表示装置のリモコンの例（部分）を示す図
【図３】本発明の実施の形態における表示装置において、タイムシフト視聴を実行またはリモコンの中央ボタンを押下したときの表示部に表示される画面の遷移例を示す図
【図４】本発明の実施の形態における表示装置において、表示装置に内蔵されているチューナ部で放送を視聴中に、現在受信中のチャンネルとは別のチャンネルを選択したときの画面の遷移例を示す図
【図５】本発明の実施の形態における表示装置において、表示装置に内蔵されているチューナ部で放送を視聴中に、記録再生装置が現在受信中のチャンネルとは別のチャンネルを選択したとき、ならびに、ライブ放送受信中にタイムシフト視聴操作を実行したときの、表示装置と記録再生装置の動作の通信シーケンスを表すフロー図
【図６】本発明の実施の形態における表示装置において、番組ポーズ中にタイムシフト視聴操作を実行したときおよびタイムシフト再生中にリモコンの中央ボタンを操作したときの表示装置と記録再生装置の動作の通信シーケンスを表すフロー図
【図７】本発明の実施の形態における表示装置において、タイムシフト視聴実行時の記録再生装置からの通信で得られるエラー要因を表示部に表示するテキストメッセージを表す図
【図８】本発明の実施の形態におけるタイムシフト視聴システムで使用される選局コマンドのＣＥＣコマンドフォーマット例を示す図
【図９】本発明の実施の形態におけるタイムシフト視聴システムで使用されるタイムシフト視聴開始コマンドのＣＥＣコマンドフォーマット例を示す図
【図１０】本発明の実施の形態におけるタイムシフト視聴システムで使用されるタイムシフト視聴結果通知コマンドのＣＥＣコマンドフォーマット例を示す図
【発明を実施するための形態】
【００２１】
以下、本発明の実施の形態について図面を参照しながら詳細に説明する。
【００２２】
（実施の形態）
図１は、本発明の実施の形態におけるタイムシフト視聴システム１５の構成の概要を示すブロック図である。図１において、タイムシフト視聴システム１５は、表示装置１００、記録再生装置２００を備え、表示装置１００と記録再生装置２００は、コマンド用接続線２５１、データ用接続線２５２で接続されている。コマンド用接続線２５１、データ用接続線２５２はＨＤＭＩケーブルの中に配置されている。
【００２３】
表示装置１００は、放送波を受信するアンテナ１２１と、アンテナ１２１から出力される放送波を受信してコンテンツを出力する第１のチューナ部であるチューナ部１２２と、チューナ部１２２の受信コンテンツの放送チャンネル切換え操作指示ならびにタイムシフト視聴の操作指示を入力する操作入力部であるユーザ操作部１１１と、記録再生装置２００からコンテンツを入力するコンテンツ入力部であるとデータ入力Ｉ／Ｆ（Ｉｎｔｅｒｆａｃｅ）１２５と、コンテンツの入力経路をチューナ部１２２とデータ入力Ｉ／Ｆ１２５とに切り換える第１の入力切換部であるスイッチ部（以下、「ＳＷ」とも記す）１２３と、スイッチ部１２３から入力するコンテンツを表示する表示部１４１と、記録再生装置２００からコマンドを入力し、かつ記録再生装置２００にコマンドを出力する第１のコマンド入出力部であるコマンド入出力Ｉ／Ｆ１１３と、データ処理部１２４、ＯＳＤ表示部１２６と、スピーカ部１４２とを備える。さらに、表示装置１００は、ユーザ操作部１１１から入力する放送チャンネル切換え指示に基づき第１のチューナ部の受信コンテンツの放送チャンネル切換え制御を行うのと同時に、切換え後の放送チャンネルの情報を含む選局コマンドを第１のコマンド入出力部から出力する制御と、タイムシフト視聴の操作指示に基づきタイムシフト視聴の開始を指示するタイムシフト視聴開始コマンドを第１のコマンド入出力部から出力する制御と、第１のコマンド入出力部から入力する映像出力開始コマンドにより入力切換部を切り換える制御とを行う第１の制御部である制御部１１２を備える。
【００２４】
記録再生装置２００は、放送波を受信するアンテナ２２１と、アンテナ２２１から出力される放送波を受信してコンテンツを出力する第２のチューナ部であるチューナ部２２２と、チューナ部１２２から入力するコンテンツを記録用データに変換し記録再生する記録再生部２３２と、記録再生部２３２に記録されたコンテンツの記録用データを表示装置１００のコンテンツ入力部であるとデータ入力Ｉ／Ｆ１２５に出力するコンテンツ出力部であるデータ出力Ｉ／Ｆ２２５と、第１のコマンド入出力部であるコマンド入出力Ｉ／Ｆ１１３からコマンドを入力し、かつコマンド入出力Ｉ／Ｆ１１３にコマンドを出力する第２のコマンド入出力部であるコマンド入出力Ｉ／Ｆ２１３と、ユーザ操作部２１１と、第２の入力切換部であるスイッチ部２２３と、データ処理部２２４と、ＯＳＤ表示部２２６と、エンコーダ部２３１と、記録部（ＨＤＤ）２３３と、デコーダ部２３４とを備える。
【００２５】
さらに、コマンド入出力Ｉ／Ｆ２１３から入力した選局コマンドに従ってチューナ部２２２のチャンネル選局をする制御と、タイムシフト視聴開始コマンドに従って記録再生部２３２にコンテンツの記録、再生し、データ出力Ｉ／Ｆ２２５からコンテンツを出力する制御と、表示装置１００のコンテンツの入力経路をチューナ部１２２からデータ入力Ｉ／Ｆ１２５へ切り換える出力開始通知コマンドをコマンド入出力Ｉ／Ｆ２１３から出力する制御を行う第２の制御部である制御部２１２を備える。
【００２６】
例えばテレビ受像機などである表示装置１００と記録再生装置２００はＨＤＭＩケーブルで接続されている。データ入力Ｉ／Ｆ１２５とデータ出力Ｉ／Ｆ２２５はＨＤＭＩ規格のＡ／Ｖ伝送Ｉ／Ｆであり、映像および音声データがＨＤＭＩ規格に準拠した形式で記録再生装置２００から表示装置１００へ伝送される。コマンド入出力Ｉ／Ｆ１１３、２１３はＨＤＭＩ規格のＣＥＣ（Ｃｏｎｓｕｍｅｒ  Ｅｌｅｃｔｒｏｎｉｃｓ  Ｃｏｎｔｒｏｌ）制御Ｉ／Ｆであり、ＨＤＭＩ規格に準拠した機器を操作するための制御コマンドの通信が行われる。なお、ＨＤＭＩ規格には、標準コマンド以外にベンダーが自由に定義できるＣＥＣのベンダーユニークコマンドもサポートされており、ベンダーはこのベンダーユニークコマンドを用いて特徴のある機能を自社製品に実装することができる。
【００２７】
次に図１を参照しながら、本発明の実施の形態におけるタイムシフト視聴システム１５を構成する表示装置１００と記録再生装置２００の動作を詳細に説明する。まず、記録再生装置２００の動作について説明する。
【００２８】
記録再生装置２００のデータ処理部２２４は、本実施の形態では、例えばＡ／ＶプロセッサおよびＨＤＭＩのトランスミッター回路から構成されている。記録部２３３は、ＨＤＤであり記録と再生が同時に可能である。また、この記録部２３３にはＤＶＤ−ＲＡＭやＢＤ−ＲＥ（Ｂｌｕ−ｒａｙ  Ｄｉｓｃ  Ｒｅｗｒｉｔａｂｌｅ）、半導体メモリなどのリムーバブルメディアを組み合わせて搭載してもよい。エンコーダ部２３１は、チューナ部２２２から入力されるデジタル映像・音声ストリームを記録部２３３にて記録可能なデータフォーマット、例えばＤＶＤ−Ｖｉｄｅｏ規格のフォーマットやＭＰＥＧ４−ＡＶＣ規格のフォーマットへの変換処理を行う。記録再生部２３２は、エンコーダ部２３１から入力された映像音声データを記録部２３３へ記録するための記録処理および記録部２３３から再生された映像音声データをデコーダ部２３４へ出力するための再生処理を行う。
【００２９】
デコーダ部２３４は、記録再生部２３２経由で記録部２３３から読み出した任意の記録済みコンテンツを任意の開始位置からデコードして再生し、デジタル映像・音声ストリームとして出力する。ＯＳＤ表示部２２６は、表示装置１００からのタイムシフト視聴開始コマンドを受けた場合の静止画像再生開始時に、タイムシフト視聴用再生操作パネルを作成する。データ処理部２２４にてデコーダ部２３４がデコードした再生コンテンツと同一画面上に重畳して合成表示が可能である。
【００３０】
制御部２１２は、タイムシフト視聴の静止画像再生開始時に、ＨＤＭＩ規格で定義された出力開始通知コマンドに加えてメニュー操作可能通知コマンドをコマンド入出力Ｉ／Ｆ２１３を経由して表示装置１００に送信する。これ以降、表示装置１００のリモコン操作を受信して、再生操作パネルの制御を行う。再生操作パネルは、表示装置１００のリモコンに対応した操作ボタンを画面上に表示し、それぞれのボタンにＨＤＭＩ規格で定義されたユーザ操作押下コマンドに該当するキーコードおよび制御部２１２で行う再生操作内容を割り当てる。例えば、リモコンの左、右、上、下、中央、戻るボタンはそれぞれ、レフト（ＬＥＦＴ）コマンド、ライト（ＲＩＧＨＴ）コマンド、アップ（ＵＰ）コマンド、ダウン（ＤＯＷＮ）コマンド、エンター（ＥＮＴＥＲ）コマンド、イグジット（ＥＸＩＴ）コマンドのユーザ操作押下ＣＥＣコマンドならびに、巻き戻し、早送り、スキップ、停止、ポーズ／再生、再生操作パネル消去の再生操作に該当する。この再生操作パネルについては後ほど図２を用いて詳しく説明する。
【００３１】
チューナ部２２２は、記録再生装置２００が記録する放送番組を選択するための選局機能を有している。そして、表示装置１００は、ＣＥＣのベンダーユニークコマンドで定義された選局コマンドを用いて、コマンド入出力Ｉ／Ｆ２１３を経由してチューナ部２２２を遠隔制御することが可能である。すなわち、記録再生装置２００のチューナ部２２２が選択される度、表示装置１００の制御部１１２は選局コマンドを記録再生装置２００に対して送信する。選局コマンドに含まれる情報は、一般的なチャンネル番号の他に、たとえば、地上、ケーブル、衛星などの伝送経路の種別、伝送周波数、またデジタル放送であれば、例えば物理チャンネル番号、トランスポートストリームＩＤ、サービスＩＤ、オリジナルネットワークＩＤなどの伝送データ、及びアナログ放送であれば、例えばＮＴＳＣ、ＰＡＬ、ＳＥＣＡＭなどの放送方式などである。
【００３２】
上記したように、第１の制御部は、タイムシフト視聴開始コマンドを出力するときに第１のチューナ部の受信中のコンテンツの放送チャンネルの情報を含む選局コマンドも第１のコマンド入出力部から出力する制御を行ってもよい。
【００３３】
記録再生装置２００は、記録待機状態つまり、電源がスタンバイ状態であってもユーザの操作があればすぐに記録開始が可能な状態である場合、コマンド入出力Ｉ／Ｆ２１３を経由して表示装置１００から受信した選局コマンドを受信する。そして、記録再生装置２００は、内蔵されているチューナ部２２２の選局制御を行うと同時に、エンコーダ部２３１でチューナ部２２２からのコンテンツを記録部２３３に記録する記録用データフォーマットへの変換処理を行う。
【００３４】
次に、表示装置１００の動作について説明する。データ処理部１２４は、本実施の形態では、例えばＨＤＭＩのレシーバ回路で構成されている。ＯＳＤ表示部１２６は、タイムシフト視聴開始操作用ＧＵＩ（Ｇｒａｐｈｉｃａｌ  Ｕｓｅｒ  Ｉｎｔｅｒｆａｃｅ）を表示する。画像プロセッサにて記録再生装置２００の再生コンテンツと同一画面上に重畳して合成表示が可能である。ユーザ操作部１１１は、前面パネルもしくは赤外線リモコンである。ユーザ操作部１１１から入力切換えやＧＵＩ操作が可能である。ユーザが赤外線リモコンのタイムシフト視聴開始ボタンを押すとタイムシフト視聴開始操作用ＧＵＩと同様の操作が可能である。制御部１１２は、各部の制御を行う。特には、表示装置１００に内蔵されているチューナ部１２２の選局制御、Ａ／Ｖデータの入出力経路をスイッチ部１２３で切り換える入出力切換え制御、コマンド入出力Ｉ／Ｆ１１３を経由するＣＥＣコマンドの送受信制御を行う。
【００３５】
チューナ部１２２は、地上デジタル放送を受信可能で、チューナ部２２２と同一の放送規格に準拠しており、同一の放送チャンネルを選局可能である。デジタル放送波を受信中の場合、出力映像音声信号は図示しないデコーダ部を経由してＭＰＥＧ２規格のエレメンタリーストリームからＹＵＶ４２２の色空間で符号化されたデジタル映像ストリームおよびＰＣＭやＡＡＣにより符号化されたデジタル音声ストリームに変換される。アナログ放送波を受信中の場合、出力映像音声信号は図示しないＡ／Ｄ変換部を経由してデジタル映像ストリームおよびデジタル音声ストリームに変換される。
【００３６】
表示装置１００は、ＨＤＭＩ規格で定義されたメニュー操作可能通知コマンドをコマンド入出力Ｉ／Ｆ１１３を経由して記録再生装置２００から受信すると、表示装置１００のリモコンなどでユーザ操作部１１１に対してユーザから行われた入力をＨＤＭＩ規格で定義されたユーザ操作押下コマンドのキーコードに割り当てて記録再生装置２００に送信する。その結果、表示装置１００は、記録再生装置２００に対する遠隔操作が可能となる。
【００３７】
図２Ａ、２Ｂ、２Ｃは本発明の実施の形態におけるタイムシフト視聴システム１５の操作パネルおよびリモコンの操作ボタンを表す図である。そして、図２Ａは記録再生装置２００が番組ポーズ中に表示装置１００の画面上に表示する再生操作パネルを示す図である。図２Ｂは記録再生装置２００がタイムシフト再生中に表示装置１００の画面上に表示する再生操作パネルを示す図である。図２Ｃは再生操作パネルに対応した表示装置１００のリモコンの例（部分）を示す図である。
【００３８】
図２Ａに示すように、番組ポーズ中の再生操作パネルは、再生ボタン３０１、スキップボタン３０２、停止ボタン３０３、巻き戻しボタン３０４、早送りボタン３０５、ＥＸＩＴボタン３０６を備えている。また、図２Ｂに示すように、再生中の再生操作パネルは、ポーズボタン３１１、スキップボタン３１２、停止ボタン３１３、巻き戻しボタン３１４、早送りボタン３１５、ＥＸＩＴボタン３１６を備えている。そして、図２Ｃに示すように、表示装置１００のリモコン３３０は、左ボタン３３３、右ボタン３３４、上ボタン３３１、下ボタン３３２、中央ボタン３３５、ＥＸＩＴボタン３３６、タイムシフト視聴用のタイムシフト（ＴＩＭＥ  ＳＨＩＦＴ）ボタン３３７を備えている。左ボタン３３３からＥＸＩＴボタン３３６までの６個のボタンにはＨＤＭＩ規格で定義されたユーザ操作押下コマンドに該当するキーコードおよび制御部２１２で行う再生操作内容が割り当てられる。すなわち、左ボタン３３３からＥＸＩＴボタン３３６までの６個のボタンにはそれぞれＬＥＦＴコマンド、ＲＩＧＨＴコマンド、ＵＰコマンド、ＤＯＷＮコマンド、ＥＮＴＥＲコマンド、ＥＸＩＴコマンドのユーザ操作押下ＣＥＣコマンドに割り付けられ、番組ポーズ時および再生操作時には、それぞれのボタンが、巻き戻し、早送り、スキップ、停止、ポーズ／再生、再生操作パネル消去の再生操作に該当する。
【００３９】
図３は本発明の実施の形態における表示装置１００において、タイムシフト視聴を実行またはリモコン３３０の中央ボタン３３５を押下したときの表示部１４１に表示される画面の遷移例を示す図である。図４は本発明の実施の形態における表示装置１００において、表示装置１００に内蔵されているチューナ部１２２で放送を視聴中に、現在受信中のチャンネルとは別のチャンネルを選択したときの画面の遷移例を示す図である。なお、以下の説明においてタイムシフト視聴は図２Ｃに示すＴＩＭＥ  ＳＨＩＦＴボタン３３７を押下することによって実行される。
【００４０】
図３は、表示装置１００の表示部１４１に表示される画面の遷移例を示している。図３において、横軸は時間を示している。そして例えば、ライブ放送受信中にタイムシフト視聴操作を実行したとき、番組ポーズ中にタイムシフト視聴操作を実行したとき、番組ポーズ中にリモコン３３０の中央ボタン３３５を押下したとき、タイムシフト再生中にリモコン３３０の上ボタン３３１、下ボタン３３２、左ボタン３３３、右ボタン３３４などを押下したとき、タイムシフト再生中にタイムシフト視聴操作を実行したとき、タイムシフト再生中にリモコン３３０の中央ボタン３３５を操作したときのそれぞれの場合の画面を示している。
【００４１】
図３を参照しながら本発明の実施の形態におけるタイムシフト視聴システム１５において、ユーザの操作、記録再生装置２００および表示装置１００の動作、その場合の表示装置１００の表示画面の関係について説明する。表示装置１００に内蔵されたチューナ部１２２でテレビ放送を受信中（ライブ）に、例えば訪問客などがあり、時刻Ｔ０でユーザがタイムシフト視聴を実行すると、記録再生装置２００は記録を開始する。その後、時刻Ｔ１において表示装置１００の制御部１１２はスイッチ部１２３を制御して入力をチューナ部１２２からデータ入力Ｉ／Ｆ１２５に切り換えることにより、記録再生装置２００からの出力映像を表示装置１００の表示部１４１に表示する。それとほぼ同時に、記録再生装置２００は記録部２３３に記録した映像コンテンツの再生映像をポーズ状態で停止し、表示装置１００の表示部１４１にはそのポーズ画像が表示される。このように番組ポーズ中とは、映像コンテンツの再生映像がポーズ状態で停止され、表示部１４１にはそのポーズ画像が表示される機能が実施されている状態である。その後、訪問客などが帰って、時刻Ｔ２でユーザが再度タイムシフト視聴を実行すると、記録再生装置２００は記録部２３３に記録した映像コンテンツの再生を開始するとともに、表示部１４１に図２Ｂの再生操作パネルを再生映像に合成して表示する。
【００４２】
上記したように、記録再生装置２００の制御部２１２は、記録再生部２３２により記録されたデータの再生一時停止中に、第２のコマンド入出力部にタイムシフト視聴開始コマンドが入力される場合、静止を解除して再生を開始する制御を行う。そして、ユーザは再生操作パネルの各操作ボタンに対応するリモコン３３０の各操作ボタンを押下することにより、通常再生（１倍速再生）はもちろんのこと、早送り、巻き戻し、スキップ、停止などの操作が可能である。例えば、早送り再生を行って受信中のライブ映像に追いつくこともできる。すなわち、本実施の形態におけるタイムシフト視聴システム１５は、タイムシフト視聴中の場合、表示装置１００が操作入力部に入力される操作指示を記録再生装置２００に転送する。そして、記録再生装置２００は、この操作指示に基づいて少なくとも静止画像の解除（再生の開始）や早送り、巻き戻しのいずれか1つの操作を行う。
【００４３】
次に、時刻Ｔ３においてユーザが再度タイムシフト視聴を実行するかリモコン３３０の中央ボタン３３５（再生操作パネルの「ポーズ（ＰＡＵＳＥ）」ボタンに対応）を押下すると記録再生装置２００はポーズ状態で停止するとともに、表示部１４１に図２Ａの再生操作パネルを静止画映像に合成して表示する。この場合でも、記録再生装置２００はチューナ部２２２で受信したテレビ放送を記録し続ける。この状態でさらに、時刻Ｔ４において、ユーザが再度タイムシフト視聴を実行するかリモコン３３０の中央ボタン３３５（再生操作パネルの「プレイ（ＰＬＡＹ）」ボタンに対応）を押下すると、ポーズ状態の停止位置からふたたび再生モードとなりタイムシフト視聴がスタートする。
【００４４】
次に、図４を参照しながら本発明の実施の形態におけるタイムシフト視聴システム１５において、表示装置１００に内蔵されているチューナ部１２２で放送を視聴中に、現在受信中のチャンネルとは別のチャンネルを選択したときの表示装置１００の表示部１４１に表示される画面の遷移を説明する。まず、表示装置１００と記録再生装置２００はそれぞれチューナ部１２２およびチューナ部２２２で同じチャンネル（ＣＨ４）のテレビ放送を受信しているとする。このとき、記録再生装置２００は記録待機中である。
【００４５】
時刻Ｔ５において、表示装置１００の制御部１１２がユーザ操作部１１１などからの指令に基づいてチューナ部１２２をＣＨ１０に設定する。そして、その直後に表示装置１００の制御部１１２はチューナ部１２２の選局情報をコマンド入出力Ｉ／Ｆ１１３、２１３を経由して記録再生装置２００の制御部２１２に転送する。これを受けて記録再生装置２００の制御部２１２はチューナ部２２２を１０ＣＨに設定し、時刻Ｔ６で記録再生装置２００のチューナ部２２２で受信したテレビ放送がＣＨ１０に切り換わる。
【００４６】
その後、時刻Ｔ７で記録再生装置２００の制御部２１２はエンコーダ部２３１でＣＨ１０の映像音声信号のエンコードを開始し、タイムシフト視聴の待機を行う。このように、表示装置１００でチャンネル設定が変更される毎に、記録再生装置２００のチューナ部２２２の設定を追従して変更するとともに、記録時に必要なエンコードなどの処理を事前に完了しておいてもよい。その結果、ユーザがいつリモコン３３０のＴＩＭＥ  ＳＨＩＦＴボタン３３７を押下してタイムシフト視聴を始めても、ＴＩＭＥ  ＳＨＩＦＴボタン３３７を押下した直後の映像音声から確実に記録できることになる。
【００４７】
次に、本発明の実施の形態における第１のチューナ部を有する表示装置１００と、第２のチューナ部を有し表示装置１００に接続された記録再生装置２００からなるタイムシフト視聴システム１５におけるタイムシフト視聴方法について詳細に説明する。図５は本発明の実施の形態における表示装置１００において、表示装置１００に内蔵されているチューナ部１２２で放送を視聴中に、記録再生装置２００が現在受信中のチャンネルとは別のチャンネルを選択したとき、ならびに、ライブ放送受信中にタイムシフト視聴操作を実行したときの、表示装置１００と記録再生装置２００の動作の通信シーケンスを表すフロー図である。
【００４８】
まず、初期状態として、表示装置１００に内蔵されているチューナ部１２２でＣＨ１０の放送を視聴中に、記録再生装置２００が現在受信中のチャンネルとは別のチャンネルを選択された場合の動作について説明する。ここでは、初期状態として、記録再生装置２００はスイッチ部２２３の入力がチューナ部２２２であり、チューナ部２２２でＣＨ４のテレビ放送を受信し記録待機中とする。ここで、記録再生装置２００が記録待機中であるとは、記録再生装置２００のメイン電源は切られているが、記録再生装置２００のスタンバイ電源が入っている状態である。この状態では、記録再生装置２００はコンテンツの記録再生などはできないが、ユーザからの指示を受け付ければチューナ部２２２のチャンネル設定が変更できる最小限の電源が供給されている。
【００４９】
図５において、表示装置１００の制御部１１２は、ユーザからユーザ操作部１１１を介してＣＨ１０の選局を受付ける（ステップＳ４０１）。制御部１１２が記録再生装置２００に対して選局コマンド（ＣＨ＝１０）を送信し、制御部２１２がその選局コマンド（ＣＨ＝１０）を受信する（ステップＳ４０２）。制御部２１２がチューナ部２２２のチャンネルをＣＨ１０に設定し、ＣＨ１０を受信する（ステップＳ４０３）。制御部２１２は引き続きエンコーダ部２３１にチューナ部２２２の出力データの変換開始を指示する（ステップＳ４０４）。この時点での状態は、表示装置１００はスイッチ部１２３の入力がチューナ部１２２であり、チャンネル設定がＣＨ１０である。すなわち、表示装置１００はＣＨ１０を受信し、表示している。また、記録再生装置２００はスイッチ部２２３の入力がチューナ部２２２であり、チャンネル設定がＣＨ１０で記録待機中である。
【００５０】
次に、表示装置１００のチューナ部１２２で放送を受信中に、ユーザ操作部１１１への入力でタイムシフト視聴開始の操作の受付が行われたときの動作を説明する。タイムシフト視聴開始の操作の受付が行われると（ステップＳ４０５）、制御部１１２が記録再生装置２００に対してタイムシフト視聴開始コマンドを送信する（ステップＳ４０６）。そして、制御部２１２がそのタイムシフト視聴開始コマンドを受信する。その結果に基づいて、制御部２１２が記録再生部２３２にデータの記録を指示して、データの記録を開始する（ステップＳ４０７）。制御部２１２が記録再生部２３２から取得したタイムシフト視聴結果に基づいて、表示装置１００に対してタイムシフト視聴結果通知コマンドを送信する（ステップＳ４０８）。ここで、タイムシフト視聴結果通知コマンドに基づいて得られるタイムシフト視聴結果通知は、ＯＫ通知とＮＧ通知とである。ＯＫ通知は、タイムシフト視聴が正常に行える場合に送信される。一方、ＮＧ通知はタイムシフト視聴が正常に行えない場合に送信される。タイムシフト視聴結果通知がＯＫ通知の場合、記録再生装置２００の制御ステップは、そのままステップＳ４１０以降のステップへ進む。
【００５１】
一方、タイムシフト視聴結果通知がＮＧ通知の場合は、タイムシフト視聴結果通知コマンドのパラメータ値として与えられる、記録再生装置２００内部における記録のエラー要因を表示装置１００は判定する。そして、表示装置１００は図示しないメモリに格納された、該当するテキストパターン（図７に示す）を読み出してＯＳＤ表示部１２６にエラー要因の提示を行い（ステップＳ４０９）、フローを終了する。なお、タイムシフト視聴結果通知がＯＫ通知の場合は、ＯＳＤ表示は行われない。
【００５２】
ステップＳ４１０では、制御部２１２が記録中のデータの先頭から記録部２３３より読み出して再生する。そして、制御部２１２がスイッチ部２２３の入力をデコーダ部２３４に切り換える（ステップＳ４１１）。制御部２１２が出力開始通知コマンドをコマンド入出力Ｉ／Ｆ２１３からブロードキャスト（Ｂｒｏａｄｃａｓｔ）送信し、制御部１１２が出力開始通知コマンドをコマンド入出力Ｉ／Ｆ１１３から受信する（ステップＳ４１２）。出力開始通知コマンドを受信すると制御部１１２がスイッチ部１２３の入力をデータ入力Ｉ／Ｆ１２５に切り換える（ステップＳ４１３）。制御部２１２が記録再生部２３２に対して再生一時停止を指示し、データ読み出しを一時停止し静止状態にする（ステップＳ４１４）。制御部２１２がＯＳＤ表示部２２６でポーズ中の再生操作パネル（図２Ａにおいて、中央ボタン３３５に対応する表示が次の操作で再生可能状態を示す”ＰＬＡＹ”となる状態）を表示する（ステップＳ４１５：図３における時刻Ｔ２に相当）。制御部２１２がデータ処理部２２４に対して映像音声データの送信を指示、データ処理部１２４が同データを受信する（ステップＳ４１６）。
【００５３】
この一連の処理により、最終状態は、表示装置１００は、チューナ部１２２のチャンネル設定はＣＨ１０であるが、映像入力がデータ入力Ｉ／Ｆ１２５経由の記録再生装置２００からとなる。同様に、記録再生装置２００は、チューナ部２２２のチャンネル設定はＣＨ１０で記録部２３３に記録した映像をデコーダ部２３４から表示装置１００に出力している。このとき、タイムシフト視聴のポーズ状態となっている。
【００５４】
なお、上記の表示装置１００が処理するステップＳ４１３、ステップＳ４１６と記録再生装置２００が処理するステップＳ４１４〜ステップＳ４１６は並行して同時に行われる。この間、フローに図示しないが、制御部１１２がデータ処理部１２４にてＨＤＭＩの規格に従った認証処理と映像音声処理を行い、表示部１４１が映像を出力し、スピーカ部１４２が音声を出力する。
【００５５】
上記したように、本発明の実施の形態における第１のチューナ部を有する表示装置１００と、第２のチューナ部を有し表示装置１００に接続された記録再生装置２００からなるタイムシフト視聴システム１５におけるタイムシフト視聴方法は、以下のステップを備えている。すなわち、表示装置１００が、放送チャンネル切換え指示に基づき第１のチューナ部の受信コンテンツの放送チャンネル切換え制御を行うのと同時に、切換え後の放送チャンネルの情報を含む選局コマンドを記録再生装置２００へ送信するステップと、選局コマンドを受信した記録再生装置２００は、選局コマンドに基づいて第２のチューナ部のチャンネル選局をするステップとを備えている。そして、表示装置１００は、タイムシフト視聴の操作指示に基づきタイムシフト視聴の開始を指示するタイムシフト視聴開始コマンドを記録再生装置２００へ送信するステップと、タイムシフト視聴開始コマンドを受信した記録再生装置２００は、コンテンツを記録、再生し、コンテンツを表示装置１００へ出力するとともに、出力開始通知コマンドを表示装置１００へ送信するステップと、出力開始通知コマンドを受信した表示装置１００は、コンテンツの入力経路を第１のチューナ部から記録再生装置２００へ切り換えるステップとを備えている。
【００５６】
また、表示装置１００がタイムシフト視聴開始コマンドを記録再生装置２００へ送信するステップは、第１のチューナ部の受信中のコンテンツの放送チャンネルの情報を含む選局コマンドの送信も含む。
【００５７】
図６は本発明の実施の形態における表示装置において、番組ポーズ中にタイムシフト視聴操作を実行したときおよびタイムシフト再生中にリモコンの中央ボタンを操作したときの表示装置１００と記録再生装置２００の動作の通信シーケンスを表すフロー図である。
【００５８】
初期状態として、表示装置１００は、チューナ部１２２のチャンネル設定はＣＨ１０であるが、映像入力がデータ入力Ｉ／Ｆ１２５経由の記録再生装置２００からである。記録再生装置２００は、チューナ部２２２のチャンネル設定がＣＨ１０で、記録部２３３に記録した映像をデコーダ部２３４から表示装置１００に出力している。この場合を例に、タイムシフト視聴の番組ポーズ中に表示装置１００から様々なリモコン操作があった場合のタイムシフト視聴システムの動作について説明する。
【００５９】
表示装置１００が記録再生装置２００のタイムシフト視聴の静止画面を表示中に、ユーザ操作部１１１への入力により、再度タイムシフト視聴開始操作の受付が行われる（ステップＳ５０１）。この受付に基づいて、制御部１１２が記録再生装置２００に対してタイムシフト視聴開始コマンドをコマンド入出力Ｉ／Ｆ１１３から送信し、制御部２１２が同コマンドをコマンド入出力Ｉ／Ｆ２１３から受信する（ステップＳ５０２）。制御部２１２が表示装置１００に対してタイムシフト視聴結果通知コマンド（ＯＫ通知）をコマンド入出力Ｉ／Ｆ２１３から送信し、制御部１１２が同コマンドをコマンド入出力Ｉ／Ｆ１１３から受信する（ステップＳ５０３）。受信したタイムシフト視聴結果通知がＯＫ通知なので、制御部１１２はＯＳＤ表示部１２６に何も表示しない。
【００６０】
制御部２１２が記録再生部２３２に対して記録部２３３のデータ読み出しを再開、静止の解除を指示する（ステップＳ５０４）。制御部２１２がＯＳＤ表示部２２６で再生中の再生操作パネル（図２Ｂ、中央ボタン３３５に対応する表示が次の操作で停止可能状態を示す「ＰＡＵＳＥ」となる）を表示する（ステップＳ５０５）。制御部２１２がデータ処理部２２４に対して映像音声データの送信を指示、データ処理部１２４が同データを受信する（ステップＳ５０６）。
【００６１】
これにより、タイムシフト視聴システム１５の最終状態は次のようになる。表示装置１００は、チューナ部１２２のチャンネル設定はＣＨ１０であるが、映像入力がデータ入力Ｉ／Ｆ１２５経由の記録再生装置２００からとなる。記録再生装置２００は、チューナ部２２２のチャンネル設定はＣＨ１０で、記録部２３３に記録した映像をデコーダ部２３４から表示装置１００に出力している。このとき、タイムシフト（再生）が始まる。
【００６２】
次に、表示装置１００が記録再生装置２００のタイムシフト視聴の再生画面を表示中に、ユーザ操作部１１１への入力でリモコン３３０の中央ボタン３３５の操作の受付が行われると（ステップＳ５０７）、制御部１１２が記録再生装置２００に対してユーザ操作押下「ＥＮＴＥＲ」コマンドをコマンド入出力Ｉ／Ｆ１１３から送信し、制御部２１２が同コマンドをコマンド入出力Ｉ／Ｆ２１３から受信する（ステップＳ５０８）。制御部２１２が記録再生部２３２に対して再生一時停止を指示し、静止状態にする（ステップＳ５０９）。すなわち、制御部２１２は、記録再生部２３２により記録されたデータを再生中に第２のコマンド入出力部にタイムシフト視聴開始コマンドが入力される場合、再生一時停止を行なって静止画像を表示する制御を行う。
【００６３】
その後、制御部２１２がＯＳＤ表示部２２６でポーズ中の再生操作パネル（図２Ａにおいて、中央ボタン３３５に対応する表示が次の操作で再生可能状態を示す”ＰＬＡＹ”となる状態）を表示する（ステップＳ５１０）。制御部２１２がデータ処理部２２４に対して映像音声データをデータ出力Ｉ／Ｆ２２５から送信するよう指示し、第１データ処理部１２４が同データをデータ入力Ｉ／Ｆ１２５から受信する（ステップＳ５１１）。
【００６４】
この結果、タイムシフト視聴システム１５のタイムシフト視聴のポーズの場合の最終状態では、表示装置１００は、チューナ部１２２のチャンネル設定はＣＨ１０であるが、映像入力がデータ入力Ｉ／Ｆ１２５経由の記録再生装置２００となる。記録再生装置２００は、チューナ部２２２のチャンネル設定がＣＨ１０で、記録部２３３に記録した映像をデコーダ部２３４から表示装置１００に出力している。一方、タイムシフト視聴の再生の場合の最終状態では、表示装置１００は、チューナ部１２２のチャンネル設定はＣＨ１０であるが、映像入力がデータ入力Ｉ／Ｆ１２５経由の記録再生装置２００からとなる。記録再生装置２００は、チューナ部２２２のチャンネル設定がＣＨ１０で、記録部２３３に記録した映像をデコーダ部２３４から表示装置１００に出力している。
【００６５】
ここで、ステップＳ５０９以降のフローは前述のステップＳ４１３〜ステップＳ４１６に示すフローと同じである。また、ポーズ中にリモコン３３０の中央ボタン３３５の操作の受付が行われたときの動作は、前述のステップＳ５０４〜ステップＳ５０６に示すフローと同じであり、図示は省略する。さらに、再生中にタイムシフト視聴開始操作の受付が行われたときの動作は、ステップＳ５０１〜ステップＳ５０３に示すフローに続きステップＳ５０９〜ステップＳ５１１に示すフローと同じであり、図示は省略する。なお、タイムシフト視聴システム１５においては、表示装置１００はユーザの操作入力に対して一対一に定義されたコマンドを送信すればよく、記録再生装置２００の動作状態を知る必要はない。
【００６６】
また、上述したタイムシフト視聴システム１５の動作はＨＤＭＩ規格準拠の標準コマンドあるいはベンダーユニークコマンドを表示装置１００と記録再生装置２００の間でやりとりすることで実現できる。したがって、ユーザは表示装置１００のリモコン３３０のみを使って、タイムシフト視聴システム１５を操作可能である。これにより、タイムシフト視聴時の操作の度にリモコン３３０を持ち替える必要がないので操作性とレスポンスを大きく改善することができる。
【００６７】
また、上記の説明では、表示装置１００のチューナ部１２２のチャンネル設定を切り換えたときに、そのチャンネル設定を記録再生装置２００に送信して、記録再生装置２００のチューナ部２２２に同じチャンネルを設定してタイムシフト視聴をすると説明した。チューナ部１２２の設定情報としては、チャンネルの設定情報のみではなく、チューナ部１２２で受信中のコンテンツで視聴設定されている音声切換え情報や字幕切換え情報もある。これらの情報も表示装置１００から記録再生装置２００に送信してもよい。音声切換えや字幕切換えの設定情報はタイムシフト視聴時の記録再生装置２００から映像音声データを再生する際に必要となる情報である。したがって、チャンネル設定のように表示装置１００のチャンネルが切り換わったタイミングで送信する必要はなく、図５におけるステップＳ４０６のタイムシフト視聴開始コマンドの送信時に一緒に送ってやればよい。
【００６８】
すなわち、第１の制御部は、タイムシフト視聴開始コマンドを出力するときに第１のチューナ部の受信中のコンテンツで視聴設定されている音声切換え情報または字幕切換え情報も第１のコマンド入出力部から出力する制御を行ってもよい。
【００６９】
例えば、表示装置１００の音声切換え設定、すなわち日本語音声か英語音声か、あるいは主音声か副音声かなどの設定情報をタイムシフト視聴開始コマンドとともに記録再生装置２００に送り、記録再生装置２００はこの設定情報を記憶部（図示せず）に記憶しておく。そして、記録再生装置２００はタイムシフト視聴時にこの記憶した設定情報を読み出し、記録再生装置２００から再生したコンテンツの音声信号をこの設定情報に基づいて切り換える。これにより、表示装置１００のチューナ部１２２で受信中の放送コンテンツに含まれる複数の音声信号の中から表示装置１００で選択された音声信号と同じ音声信号を記録再生装置２００から表示装置１００へ出力させる。このことにより、それまでの視聴中にユーザ操作により選択した音声信号の再生をタイムシフト視聴中も継続することができる。
【００７０】
また、音声切換え設定と同様に、字幕切換え設定、すなわち字幕をオンにするかオフにするか、あるいは日本語字幕か英語字幕かなどの設定情報をタイムシフト視聴開始コマンドとともに記録再生装置２００に送り、記録再生装置２００はこの設定情報を記憶部（図示せず）に記憶しておく。そして、記録再生装置２００はタイムシフト視聴時にこの記憶した設定情報を読み出し、記録再生装置２００から再生したコンテンツの字幕信号をこの設定情報に基づいて切り換える。これにより、表示装置１００のチューナ部１２２で受信中の放送コンテンツに含まれる複数の字幕信号の中から表示装置１００で選択された字幕信号と同じ字幕信号を記録再生装置２００から表示装置１００へ出力させる。このことにより、それまでの視聴中にユーザ操作により選択した字幕信号の再生をタイムシフト視聴中も継続することができる。
【００７１】
上述したようにこれらの設定情報は、図５においてステップＳ４０６でタイムシフト視聴開始コマンドを表示装置１００から記録再生装置２００に送信する際、同時に送るだけでよく、特別な処理は不要である。
【００７２】
次に、図５のステップＳ４０９あるいは図６のステップＳ５０３において通知結果がＮＧ通知の場合にＯＳＤ表示部２２６に表示する表示内容について説明する。図７は本発明の実施の形態における表示装置１００において、タイムシフト視聴実行時の記録再生装置２００からの通信で得られるエラー要因を表示部に表示するテキストメッセージを表す図である。
【００７３】
制御部２１２は、記録再生部２３２が記録できないと判断したとき、コマンド入出力Ｉ／Ｆ２１３から記録できないエラー要因を出力し、制御部１１２は、コマンド入出力Ｉ／Ｆ１１３から入力した記録できないエラー要因を解析し、解析結果を画面表示する。以下では、制御部１１２が解析結果を画面表示する動作について説明する。
【００７４】
まず、エラー要因について説明する。タイムシフト視聴実行時の記録再生装置２００からの通信で得られるエラー要因としては、種々のものがあるが一例を図７に示す。大きく分けると、（１）放送番組自体に関連する要因、（２）記録再生装置２００の動作状態に関連する要因、（３）記録メディアの要因、（４）記録再生装置２００の設定による要因がある。
【００７５】
まず、（１）の場合の例としては、タイムシフト視聴の対象番組が選択不可、視聴制限がかかっている、信号が送られてきていない、表示装置１００や記録再生装置２００が対応していない放送方式である場合などである。この場合は、例えば「指定された放送が記録できません」というメッセージを表示する。また、対象放送番組がコピー禁止であったり、コピー回数がすでに超過していたりする番組の場合は、例えば「著作権保護のために記録できない放送です」というメッセージを表示する。
【００７６】
また、（２）の例としては、記録装置の記録済みコンテンツを再生中の場合、「再生中のため記録できません」というメッセージを表示し、すでに予約録画番組を録画中の場合は「すでに録画中のため記録できません」というメッセージを表示する。
【００７７】
（３）の例としては、メディアの残容量が不足している場合、メディアが書き込み禁止である場合、あるいはメディアに不具合があり記録ができない場合などが考えられる。例えば、メディアの残容量が不足の場合は「記録できません。メディアの残容量を確認してください」などのメッセージを表示すればよい。
【００７８】
（４）の例としては、記録再生装置２００の設定が記録禁止になっているような場合であり、この場合は「記録できません。記録再生装置の設定を確認ください」などのメッセージを表示すればよい。
【００７９】
このように、タイムシフト視聴が失敗した場合に表示装置１００の画面上にエラー要因を表示して表示装置１００から記録再生装置２００への入力切換えの処理を省略することにより、操作レスポンスを向上させることができる。また、ユーザにタイムシフト視聴がうまく働かない理由を通知することにより、ユーザが誤って記録できていると勘違いするのを防止することができる。また、記録再生装置２００の状態や設定を見直したり、記録メディアを記録できる状態にしたりするなどの対処を迅速に行うことが可能となる。
【００８０】
次に、ＣＥＣコマンドのフォーマットについて説明する。図８、図９、図１０は本発明の実施の形態におけるタイムシフト視聴システム１５で使用されるベンダーユニークな３種類のＣＥＣコマンドのフォーマットの１例を示すものである。図８は選局コマンドのＣＥＣコマンドフォーマット例である。図９はタイムシフト視聴開始コマンドのＣＥＣコマンドフォーマット例である。図１０はタイムシフト視聴結果通知コマンドのＣＥＣコマンドフォーマット例である。次に、それぞれのコマンドについて、伝送方向、指示内容、伝送情報、受信機器の応答内容について説明する。
【００８１】
図８に示す選局コマンドは、図５におけるステップＳ４０２において、表示装置１００から記録再生装置２００へ向けて伝送されるデジタルチャンネルの選局を指示するコマンドである。この選局コマンドは、“トランスポートストリームＩＤ（Ｔｒａｎｓｐｏｒｔ＿Ｓｔｒｅａｍ＿ＩＤ）”、“サービスＩＤ（Ｓｅｒｖｉｃｅ＿ＩＤ）”、“オリジナルネットワークＩＤ（Ｏｒｉｇｉｎａｌ＿Ｎｅｔｗｏｒｋ＿ＩＤ）”の６バイト（ｂｙｔｅ）の情報および実際の伝送周波数“周波数（Ｆｒｅｑｕｅｎｃｙ）”の２ｂｙｔｅの情報を含んでいる。この選局コマンドを受信した記録再生装置２００側は、スタンバイ状態で、かつ放送されている信号が受信可能な状態であれば指定されたデジタルチャンネルを選局する。
【００８２】
図９に示すタイムシフト視聴開始コマンドは、例えば図５におけるステップＳ４０６において表示装置１００から記録再生装置２００へ向けて伝送されるタイムシフト視聴の開始を指示するコマンドである。このタイムシフト視聴開始コマンドは“Ｔｒａｎｓｐｏｒｔ＿Ｓｔｒｅａｍ＿ＩＤ”、“Ｓｅｒｖｉｃｅ＿ＩＤ”の４ｂｙｔｅの情報以外に“ビデオＰＩＤ（Ｖｉｄｅｏ  ＰＩＤ）”、“オーディオＰＩＤ（Ａｕｄｉｏ  ＰＩＤ）”、“モード（Ｍｏｄｅ）”、“音声主副選択（Ｂｉｌｉｎｇｕａｌ  Ａｕｄｉｏ  Ｓｅｌｅｃｔｉｏｎ）”、“字幕ＰＩＤ（Ｓｕｂｔｉｔｌｅ  ＰＩＤ）”、“字幕言語（Ｓｕｂｔｉｔｌｅ  Ｌａｎｇｕａｇｅ）”の８ｂｙｔｅの情報を含んでいる。“Ｖｉｄｅｏ  ＰＩＤ”はタイムシフト視聴の実行時の映像コンテンツと再生時の映像コンテンツを確実に一致させるために指定する。“Ａｕｄｉｏ  ＰＩＤ”はタイムシフト視聴の実行時の音声コンテンツと再生時の音声コンテンツを確実に一致させるために指定する。“Ｍｏｄｅ”、“Ｓｕｂｔｉｔｌｅ  ＰＩＤ”、“Ｓｕｂｔｉｔｌｅ  Ｌａｎｇｕａｇｅ”はタイムシフト視聴の実行時の字幕の有無、コンテンツ、言語の設定と再生時の設定を確実に一致させるために指定する。“Ｂｉｌｉｎｇｕａｌ  Ａｕｄｉｏ  Ｓｅｌｅｃｔｉｏｎ”はタイムシフト視聴の実行時の音声コンテンツにおける、主副音声チャンネルの設定と再生時の主副音声チャンネルの設定を確実に一致させるために指定する。
【００８３】
このタイムシフト視聴開始コマンドを受信した記録再生装置２００側は、指定された条件によるタイムシフト視聴が可能であれば、タイムシフト視聴を開始する。タイムシフト視聴を開始したかどうかの結果をレスポンスとして返信する。
【００８４】
図１０に示すタイムシフト視聴結果通知コマンドは、例えば図５におけるステップＳ４０８において記録再生装置２００から表示装置１００へ向けて伝送されるタイムシフト視聴を開始できたかどうかの結果を返すコマンドである。
【００８５】
このタイムシフト視聴結果通知コマンドは、タイムシフト視聴を開始できたかどうかの結果を１ｂｙｔｅのコードで返信する。このタイムシフト視聴結果通知コマンドを受信した表示装置１００側は、必要に応じ上記の結果に応じたエラー要因（図７に例を示す）を表示部１４１に表示してもよい。ただし、“リクエスト受信済み（Ｒｅｑｕｅｓｔ  ｒｅｃｅｉｖｅｄ）”の場合は何も表示しなくてよい、あるいはタイムシフト視聴開始にもう少し時間がかかることを示す旨の表示を行ってもよい。
【００８６】
このようにして、制御部２１２は、記録再生部２３２が即時記録できないと判断したとき、コマンド入出力Ｉ／Ｆ２１３からタイムシフト視聴開始コマンドの受理の通知を出力し、さらに記録が可能になったとき、コマンド入出力Ｉ／Ｆ２１３から記録開始の結果を通知する。そして、制御部１１２は、コマンド入出力Ｉ／Ｆ１１３から入力したタイムシフト視聴開始コマンドの受理の通知を解析し、解析結果を画面表示する。さらに、制御部１１２は、タイムシフト視聴結果通知コマンドに基づく記録開始の結果の通知を解析して、解析結果を表示部１４１に画面表示する。
【００８７】
以上説明したように、本発明によれば表示装置１００に内蔵されているチューナ部１２２のコンテンツが切り換わると、記録再生装置２００に内蔵されているチューナ部２２２のコンテンツを表示装置１００に内蔵されているチューナ部１２２で切換えられて視聴が開始されたコンテンツと同じコンテンツに切り換えて、タイムシフト視聴の開始の操作を行う際の記録コンテンツ切換え操作を省略する。それと同時に記録再生装置２００の選局に伴う受信信号の符号化や記録信号復号のための処理を省略し、タイムシフト視聴コンテンツを頭切れなく記録できるとともに操作レスポンスを向上させることができる。
【００８８】
また、表示装置１００に内蔵されているチューナ部１２２における受信中の放送コンテンツに含まれる複数の音声信号の切換え設定情報や、字幕信号の切換え設定情報をタイムシフト視聴開始コマンドとともに記録再生装置２００へ送って記憶しておいてもよい。そして、記録再生装置２００が、タイムシフト視聴時にこれらの設定情報を読み出して切り換えることにより、それまでの視聴中にユーザ操作により選択した音声信号や字幕信号の再生をタイムシフト視聴中も継続することができる。
【００８９】
また、タイムシフト視聴開始時、すなわち、表示装置１００の入力経路が記録再生装置２００の信号出力端子であるデータ出力Ｉ／Ｆ２２５に切り換わったとき、表示装置１００は表示部１４１に表示される画面に記録再生装置２００のポーズ画面を表示させると同時に、記録再生装置２００の再生操作ガイドを表示させることにより、ユーザの操作性を向上することができる。
【００９０】
さらには、タイムシフト視聴が失敗した場合に表示装置１００の画面上にエラー要因を表示して表示装置１００から記録再生装置２００への入力切換えの処理を省略することにより、操作レスポンスを向上させることができる。また、ユーザにタイムシフト視聴がうまく働かない理由を通知することにより、記録再生装置２００の状態や設定を見直したり、記録メディアを記録できる状態にしたりするなどの対処を迅速に行うことが可能となる。
【００９１】
なお、タイムシフト視聴中にユーザの指示により、表示装置１００の入力経路が記録再生装置２００以外の信号出力端子に切り換わったとき、ユーザが放送番組の視聴を中止したと判断できるのでこの時点で記録再生装置２００への記録を中断するようにしてもよい。例えば、タイムシフト視聴のためにチューナ部２２２が受信した放送番組をＤＶＤで記録中に、ユーザがＤＶＲやセットトップボクッス（ＳＴＢ）や映像信号の出力機能を有するパーソナルコンピュータ（ＰＣ)などのタイムシフト視聴システム１５に含まれない他の外部機器をテレビ受像機の外部入力端子に接続し、テレビ受像機のリモコンで外部入力を選択してＤＶＲの再生画を視聴するような場合である。このように、表示装置１００の入力経路が上記した他の外部機器の信号出力端子に切り換わったとき、表示装置１００は第１のチューナ部または他の外部機器の信号出力端子からの映像音声データの出力を検知し、記録再生装置２００に通知する出力開始通知コマンドを発行する。そして、記録再生装置２００は、出力開始通知コマンドに基づいて記録を中断する。
【００９２】
また、本実施の形態では、選局コマンドは表示装置１００のチューナ部１２２のチャンネルが切り換えられたときに、表示装置１００から記録再生装置２００へ送信されるとして説明したが、タイムシフト視聴開始コマンドの送信時に同時に送ってもよい。これにより、選局コマンドとタイムシフト視聴開始コマンドを同じタイミングで送信できるので通信制御が簡単となる。
【００９３】
また、本実施の形態においてタイムシフト視聴開始コマンドの受理とは、図１０で説明したタイムシフト視聴結果通知コマンドのパラメータ“Ｒｅｑｕｅｓｔ  ｒｅｃｅｉｖｅｄ”に相当し、記録再生装置２００がすぐに記録の成否結果を通知しないでタイムシフト視聴開始コマンドを受理したことのみを示すものである。この場合は、表示画面に「しばらくお待ちください」と表示してもよいし、何も表示しなくてもよい。
【産業上の利用可能性】
【００９４】
本発明は、例えば、表示装置と記録再生装置から構成される視聴システムでタイムシフト記録を実施するのに有用であり、幅広く適用可能である。
【符号の説明】
【００９５】
１５    タイムシフト視聴システム
１００    表示装置
１１１    ユーザ操作部（操作入力部）
２１１    ユーザ操作部
１１２    制御部（第１の制御部）
２１２    制御部（第２の制御部）
１１３    コマンド入出力Ｉ／Ｆ（第１のコマンド入出力部）
２１３    コマンド入出力Ｉ／Ｆ（第２のコマンド入出力部）
１２１，２２１    アンテナ
１２２    チューナ部（第１のチューナ部）
２２２    チューナ部（第２のチューナ部）
１２３    スイッチ部（第１の入力切換部）
２２３    スイッチ部（第２の入力切換部）
１２４，２２４    データ処理部
１２５    データ入力Ｉ／Ｆ（コンテンツ入力部）
１２６，２２６    ＯＳＤ表示部
１４１    表示部
１４２    スピーカ部
２００    記録再生装置
２２５    データ出力Ｉ／Ｆ
２３１    エンコーダ部（コンテンツ出力部）
２３２    記録再生部
２３３    記録部（ＨＤＤ）
２３４    デコーダ部
２５１    コマンド用接続線
２５２    データ用接続線
３０１    再生ボタン（ＰＬＡＹボタン）
３０２，３１２    スキップボタン
３０３，３１３    停止ボタン
３０４，３１４    巻き戻しボタン
３０５，３１５    早送りボタン
３０６，３１６    ＥＸＩＴボタン
３１１    ポーズボタン（ＰＡＵＳＥボタン）
３３０    リモコン
３３１    上ボタン
３３２    下ボタン
３３３    左ボタン
３３４    右ボタン
３３５    中央ボタン
３３６    ＥＸＩＴボタン
３３７    ＴＩＭＥ  ＳＨＩＦＴボタン
【手続補正２】
【補正対象書類名】特許請求の範囲
【補正対象項目名】全文
【補正方法】変更
【補正の内容】
【特許請求の範囲】
【請求項１】
表示装置と、前記表示装置に接続された記録再生装置からなるタイムシフト視聴システムであって、
前記表示装置は、
放送波を受信してコンテンツを出力する第１のチューナ部と、
前記第１のチューナ部の受信コンテンツの放送チャンネル切換え操作指示ならびにタイムシフト視聴の操作指示を入力する操作入力部と、
前記記録再生装置からコンテンツを入力するコンテンツ入力部と、
コンテンツの入力経路を前記第１のチューナ部と前記コンテンツ入力部とに切り換える第1の入力切換部と、
前記第1の入力切換部から入力するコンテンツを表示する表示部と、
前記記録再生装置からコマンドを入力し、かつ前記記録再生装置にコマンドを出力する第１のコマンド入出力部と、
前記操作入力部から入力する前記放送チャンネル切換え指示に基づき前記第１のチューナ部の受信コンテンツの放送チャンネル切換え制御を行うのと同時に、切換え後の放送チャンネルの情報を含む選局コマンドを前記第１のコマンド入出力部から出力する制御と、前記タイムシフト視聴の操作指示に基づきタイムシフト視聴の開始を指示するタイムシフト視聴開始コマンドを前記第１のコマンド入出力部から出力する制御と、前記第１のコマンド入出力部から入力する映像出力開始コマンドにより前記入力切換部を切り換える制御とを行う第１の制御部と
を備え、
前記記録再生装置は、
放送波を受信してコンテンツを出力する第２のチューナ部と、
前記第２のチューナ部から入力するコンテンツを記録用データに変換し記録再生する記録再生部と、
前記記録再生部に記録されたコンテンツの記録用データを前記表示装置のコンテンツ入力部に出力するコンテンツ出力部と、
前記第１のコマンド入出力部からコマンドを入力し、かつ前記第１のコマンド入出力部にコマンドを出力する第２のコマンド入出力部と、
前記第２のコマンド入出力部から入力した前記選局コマンドに従って第２のチューナ部のチャンネル選局をする制御と、前記タイムシフト視聴開始コマンドに従って前記記録再生部にコンテンツの記録、再生し、前記コンテンツ出力部からコンテンツを出力する制御と、前記表示装置のコンテンツの入力経路を前記第１のチューナ部からコンテンツ入力部へ切り換える出力開始通知コマンドを前記第２のコマンド入出力部から出力する制御を行う第２の制御部と
を備えることを特徴とするタイムシフト視聴システム。
【請求項２】
前記第１の制御部は、前記タイムシフト視聴開始コマンドを出力するときに前記第１のチューナ部の受信中のコンテンツの放送チャンネルの情報を含む選局コマンドも前記第１のコマンド入出力部から出力する制御を行うことを特徴とする請求項１記載のタイムシフト視聴システム。
【請求項３】
前記第１の制御部は、前記タイムシフト視聴開始コマンドを出力するときに前記第１のチューナ部の受信中のコンテンツで視聴設定されている音声切換え情報も前記第１のコマンド入出力部から出力する制御を行うことを特徴とする請求項１記載のタイムシフト視聴システム。
【請求項４】
前記第１の制御部は、前記タイムシフト視聴開始コマンドを出力するときに前記第１のチューナ部の受信中のコンテンツで視聴設定されている字幕切換え情報も前記第１のコマンド入出力部から出力する制御を行うことを特徴とする請求項１記載のタイムシフト視聴システム。
【請求項５】
前記第２の制御部は、前記記録再生部により記録されたデータの再生一時停止中に前記第２のコマンド入出力部に前記タイムシフト視聴開始コマンドが入力される場合、静止を解除して再生を開始する制御を行うことを特徴とする請求項１記載のタイムシフト視聴システム。
【請求項６】
前記第２の制御部は、前記記録再生部により記録されたデータを再生中に前記第２のコマンド入出力部に前記タイムシフト視聴開始コマンドが入力される場合、再生一時停止を行なって静止画像を表示する制御を行うことを特徴とする請求項１記載のタイムシフト視聴システム。
【請求項７】
前記タイムシフト視聴を視聴中の場合、前記表示装置が前記操作入力部に入力される操作指示を前記記録再生装置に転送し、
前記記録再生装置は、前記操作指示に基づいて少なくとも静止画像の解除や早送り、巻き戻しのいずれか1つの操作を行うことを特徴とする請求項１記載のタイムシフト視聴システム。
【請求項８】
前記表示装置の入力経路が前記記録再生装置の信号出力端子に切り換わったとき、前記表示装置は前記表示部に前記記録再生装置の再生操作ガイドを表示することを特徴とする請求項７記載のタイムシフト視聴システム。
【請求項９】
前記表示装置の入力経路が他の外部機器の信号出力端子に切り換わったとき、
前記表示装置は、第１のチューナ部または前記他の外部機器の前記信号出力端子からの映像音声データの出力を検知し、前記記録再生装置に通知する前記出力開始通知コマンドを発行し、
前記記録再生装置は、前記出力開始通知コマンドに基づいて記録を中断することを特徴とする請求項１記載のタイムシフト視聴システム。
【請求項１０】
前記第２の制御部は、前記記録再生部が記録できないと判断したとき、前記第２のコマンド出力部から記録できないエラー要因を出力し、
前記第１の制御部は、前記第１のコマンド入出力部から入力した前記記録できない前記エラー要因を解析し、解析結果を画面表示する制御を行うことを特徴とする請求項１記載のタイムシフト視聴システム。
【請求項１１】
前記第２の制御部は、前記記録再生部が即時記録できないと判断したとき、前記第２のコマンド出力部から前記タイムシフト視聴開始コマンドの受理の通知を出力し、さらに記録が可能になったとき、前記第２のコマンド出力部から記録開始の結果を通知し、
前記第１の制御部は、
前記第１のコマンド入出力部から入力した前記タイムシフト視聴開始コマンドの受理の通知を解析し、解析結果を画面表示し、
さらに、タイムシフト視聴結果通知コマンドに基づく記録開始の結果の通知を解析し、解析結果を画面表示する
制御を行うことを特徴とする請求項１記載のタイムシフト視聴システム。
【請求項１２】
記録再生装置と接続されてタイムシフト視聴システムを構成する表示装置であって、
放送波を受信してコンテンツを出力する第1のチューナ部と、
前記第1のチューナ部の受信コンテンツの放送チャンネル切換え操作指示ならびにタイムシフト視聴の操作指示を入力する操作入力部と、
前記記録再生装置からコンテンツを入力するコンテンツ入力部と、
コンテンツの入力経路を前記第1のチューナ部と前記コンテンツ入力部とに切り換える第1の入力切換部と、
前記第1の入力切換部から入力するコンテンツを表示する表示部と、
前記記録再生装置からコマンドを入力し、かつ前記記録再生装置にコマンドを出力する第1のコマンド入出力部と、
前記操作入力部から入力する前記放送チャンネル切換え指示に基づき前記第1のチューナ部の受信コンテンツの放送チャンネル切換え制御を行うのと同時に、切換え後の放送チャンネルの情報を含む選局コマンドを前記第1のコマンド入出力部から前記記録再生装置へ出力する制御と、前記タイムシフト視聴の操作指示に基づきタイムシフト視聴の開始を指示するタイムシフト視聴開始コマンドを前記第1のコマンド入出力部から前記記録再生装置へ出力する制御と、前記第1のコマンド入出力部から入力する前記記録再生装置からの出力開始コマンドにより前記入力切換部を切り換える制御と、を行う第1の制御部と
を備えることを特徴とする表示装置。
【請求項１３】
前記第1の制御部は、前記タイムシフト視聴開始コマンドを出力するときに前記第1のチューナ部の受信中のコンテンツの放送チャンネルの情報を含む選局コマンドも前記第1のコマンド入出力部から出力する制御を行うことを特徴とする請求項１２記載の表示装置。
【請求項１４】
第１のチューナ部を有する表示装置と、第２のチューナ部を有し前記表示装置に接続された記録再生装置からなるタイムシフト視聴システムにおけるタイムシフト視聴方法であって、
前記表示装置は、
放送チャンネル切換え指示に基づき前記第１のチューナ部の受信コンテンツの放送チャンネル切換え制御を行うのと同時に、切換え後の放送チャンネルの情報を含む選局コマンドを前記記録再生装置へ送信するステップと、
前記選局コマンドを受信した前記記録再生装置は、
前記選局コマンドに基づいて前記第２のチューナ部のチャンネル選局をするステップと、
前記表示装置は、
タイムシフト視聴の操作指示に基づきタイムシフト視聴の開始を指示するタイムシフト視聴開始コマンドを前記記録再生装置へ送信するステップと、
前記タイムシフト視聴開始コマンドを受信した前記記録再生装置は、
コンテンツを記録、再生し、前記コンテンツを前記表示装置へ出力するとともに、出力開始通知コマンドを前記表示装置へ送信するステップと、
前記出力開始通知コマンドを受信した前記表示装置は、
コンテンツの入力経路を前記第１のチューナ部から前記記録再生装置へ切り換えるステップと
を備えたことを特徴とするタイムシフト視聴方法。
【請求項１５】
前記表示装置が前記タイムシフト視聴開始コマンドを前記記録再生装置へ送信するステップは、前記第１のチューナ部の受信中のコンテンツの放送チャンネルの情報を含む選局コマンドの送信も含むことを特徴とする請求項１４記載のタイムシフト視聴方法。
【手続補正３】
【補正対象書類名】図面
【補正対象項目名】全図
【補正方法】変更
【補正の内容】
【図１】
2009084139.tif 000015
【図２Ａ】
2009084139.tif 000016
【図２Ｂ】
2009084139.tif 000017
【図２Ｃ】
2009084139.tif 000018
【図３】
2009084139.tif 000019
【図４】
2009084139.tif 000020
【図５】
2009084139.tif 000021
【図６】
2009084139.tif 000022
【図７】
2009084139.tif 000023
【図８】
2009084139.tif 000024
【図９】
2009084139.tif 000025
【図１０】
2009084139.tif 000026
【国際調査報告】
2009084139.tif 000027
2009084139.tif 000028
2009084139.tif 000029
2009084139.tif 000030